(57)【要約】【課題】光ディスクに対する情報記録及び当該光ディスクからの情報再生を短時間で完了できるようにする。【解決手段】赤色光ビームＬｒ１を用いて対物レンズ３６のフォーカス制御及びトラッキング制御を行い、情報を記録する際、記録情報を分割し、各分割記録情報に基づいた青色光ビームＬｂ１及びＬｂ２の焦点Ｆｂ１及びＦｂ２を互いに異なる第１目標マーク位置ＰＳ１及び第２目標マーク位置ＰＳ２にそれぞれ合わせ、第１記録マークＲＭ１及び第２記録マークＲＭ２を互いに独立して形成し、情報を再生する際、２本の青色光ビームＬｂ１及びＬｂ２の焦点Ｆｂ１及びＦｂ２を互いに異なる第１目標マーク位置ＰＳ１及び第２目標マーク位置ＰＳ２にそれぞれ合わせ、第１記録マークＲＭ１及び第２の記録マークＲＭ２の有無に応じて発生する青色再生光ビームＬｂ３及びＬｂ４を元に得られる再生信号を統合するようにした。【選択図】図５
2008251134.tif 000002
【特許請求の範囲】
【請求項１】
ディスク状でなる体積型記録媒体に対し、記録すべき情報を基に所定の光を照射することにより記録マークを複数のマーク層に渡り記録する光ディスク装置において、
第１の光が上記体積型記録媒体内で結ぶ焦点の位置を当該第１の光の光軸方向に調整する第１の焦点位置調整手段と、
第２の光が上記体積型記録媒体内で結ぶ焦点の位置を当該第２の光の光軸方向に調整する第２の焦点位置調整手段と、
同一の対物レンズを介した上記第１の光及び上記第２の光が上記体積型記録媒体内で互いに異なるマーク層の互いに対応する位置に焦点を結ぶよう上記第１の焦点位置調整手段及び第２の焦点位置調整手段を制御する焦点制御手段と、
上記記録すべき情報を上記第１の光及び上記第２の光にそれぞれ対応付け照射させることにより、それぞれの焦点の位置に上記記録マークを形成させる記録制御手段と
を具えることを特徴とする光ディスク装置。
【請求項２】
上記記録制御手段は、
上記記録すべき情報を所定単位ごとに分割し上記第１の光及び上記第２の光にそれぞれ対応付けて上記記録マークを形成させる
ことを特徴とする請求項１に記載の光ディスク装置。
【請求項３】
上記記録制御手段は、
上記記録すべき情報を上記第１の光及び上記第２の光に重複して対応付け上記記録マークを形成させる
ことを特徴とする請求項１に記載の光ディスク装置。
【請求項４】
所定の第３の光を上記第１の光と光軸を合わせ上記対物レンズを介して上記体積型記録媒体へ照射し、上記体積型記録媒体に設けられた位置決め層からの戻り光を基に上記対物レンズを位置制御する対物レンズ制御手段
を具えることを特徴とする請求項１に記載の光ディスク装置。
【請求項５】
上記位置決め層は、上記記録マークの記録位置を表すトラックが形成され、
上記対物レンズ制御手段は、上記戻り光を基に上記トラックを認識した上で上記対物レンズを位置制御する
ことを特徴とする請求項４に記載の光ディスク装置。
【請求項６】
上記第３の光は、上記第１及び第２の光と異なる波長でなり、
上記位置決め層は、波長選択性により上記第１及び第２の光を透過すると共に上記第３の光を反射する
ことを特徴とする請求項４に記載の光ディスク装置。
【請求項７】
上記第３の光は、上記第１及び第２の光と同一の波長でなり、
上記位置決め層は、透過率が調整されていることにより上記第１及び第２の光を所定割合で透過すると共に上記第１及び第２の光と同一波長でなる第３の光を所定割合で反射する
ことを特徴とする請求項４に記載の光ディスク装置。
【請求項８】
上記体積型記録媒体は、予め一様なホログラムが形成され、
上記記録制御手段は、上記第１又は第２の光により上記情報を記録する際、上記ホログラムを局所的に破壊することにより上記記録マークを形成させる
ことを特徴とする請求項１に記載の光ディスク装置。
【請求項９】
上記体積型記録媒体は、一様に所定の反射率を有し、
上記記録制御手段は、上記第１又は第２の光により上記情報を記録する際、上記体積型記録媒体を局所的に変質させ上記反射率を変化させることにより上記記録マークを形成させる
ことを特徴とする請求項１に記載の光ディスク装置。
【請求項１０】
上記体積型記録媒体は、一様に所定の屈折率を有し、
上記記録制御手段は、上記第１又は第２の光により上記情報を記録する際、上記体積型記録媒体を局所的に変質させ上記屈折率を変化させることにより上記記録マークを形成させる
ことを特徴とする請求項１に記載の光ディスク装置。
【請求項１１】
記録すべき情報を基に、ディスク状でなる体積型記録媒体に対し所定の光を照射することにより記録マークを複数のマーク層に渡り記録する情報記録方法において、
第１の光が上記体積型記録媒体内で結ぶ焦点の位置を当該第１の光の光軸方向に調整すると共に第２の光が上記体積型記録媒体内で結ぶ焦点の位置を当該第２の光の光軸方向に調整することにより、同一の対物レンズを介した上記第１の光及び上記第２の光が上記体積型記録媒体内で互いに異なるマーク層の互いに対応する位置に焦点を合わせるよう制御する焦点制御ステップと、
上記記録すべき情報を上記第１の光及び上記第２の光にそれぞれ対応付け照射させることにより、それぞれの焦点の位置に上記記録マークを形成させる記録制御ステップと
を具えることを特徴とする情報記録方法。
【請求項１２】
ディスク状でなり記録マークが複数のマーク層に渡り記録された体積型記録媒体に対し所定の光を照射することにより情報を再生する光ディスク装置において、
第１の光が上記体積型記録媒体内で結ぶ焦点の位置を当該第１の光の光軸方向に調整する第１の焦点位置調整手段と、
第２の光が上記体積型記録媒体内で結ぶ焦点の位置を当該第２の光の光軸方向に調整する第２の焦点位置調整手段と、
同一の対物レンズを介した上記第１の光及び上記第２の光が上記体積型記録媒体内で互いに異なるマーク層の互いに対応する位置にそれぞれの焦点を合わせるよう上記第１の焦点位置調整手段及び第２の焦点位置調整手段を制御することにより、上記互いに異なるマーク層の上記記録マークを基に第１及び第２の再生光をそれぞれ発生させる焦点制御手段と、
上記第１及び第２の再生光をそれぞれ検出する第１及び第２の検出手段と、
上記第１及び第２の検出手段による検出結果を統合することにより再生信号を生成する再生信号生成手段と
を具えることを特徴とする光ディスク装置。
【請求項１３】
上記体積型記録媒体は、
上記情報が上記記録マークとして記録される際、上記情報が所定の記録単位ごとに分割され上記第１の光及び上記第２の光により上記互いに異なるマーク層の互いに対応する位置に分配して記録され、
上記再生信号生成手段は、
上記第１及び第２の検出手段による検出結果を結合することにより上記分割前の情報に相当する上記再生信号を生成する
ことを特徴とする請求項１２に記載の光ディスク装置。
【請求項１４】
上記体積型記録媒体は、
上記記録マークが記録される際、上記第１の光及び上記第２の光により上記互いに異なるマーク層の互いに対応する位置に同一の情報が記録され、
上記再生信号生成手段は、
上記第１及び第２の検出手段による検出結果に対して所定の誤り訂正処理を施すことにより上記再生信号を生成する
ことを特徴とする請求項１２に記載の光ディスク装置。
【請求項１５】
上記第１及び第２の検出手段は、
上記第１及び第２の再生光が混合された混合再生光を収束させ、上記第１又は第２の再生光の合焦位置に合わせて設けられたピンホールにより当該上記第１又は第２の再生光のうち一方を選別して検出する
ことを特徴とする請求項１２に記載の光ディスク装置。
【請求項１６】
所定の第３の光を上記第１の光と光軸を合わせ上記対物レンズを介して上記体積型記録媒体へ照射し、上記体積型記録媒体に設けられた位置決め層からの戻り光を基に上記対物レンズを位置制御する対物レンズ制御手段
を具えることを特徴とする請求項１２に記載の光ディスク装置。
【請求項１７】
上記位置決め層は、上記記録マークの記録位置を表すトラックが形成され、
上記対物レンズ制御手段は、上記戻り光を基に上記トラックを認識した上で上記対物レンズを位置制御する
ことを特徴とする請求項１６に記載の光ディスク装置。
【請求項１８】
上記第３の光は、上記第１及び第２の光と異なる波長でなり、
上記位置決め層は、波長選択性により上記第１及び第２の光を透過すると共に上記第３の光を反射する
ことを特徴とする請求項１６に記載の光ディスク装置。
【請求項１９】
上記第３の光は、上記第１及び第２の光と同一の波長でなり、
上記位置決め層は、透過率が調整されていることにより上記第１及び第２の光を所定割合で透過すると共に上記第１及び第２の光と同一波長でなる第３の光を所定割合で反射する
ことを特徴とする請求項１６に記載の光ディスク装置。
【請求項２０】
上記体積型記録媒体は、予め一様なホログラムが形成された上で当該ホログラムが局所的に破壊されることにより上記記録マークが形成され、
上記第１及び第２の検出手段は、上記第１及び第２の再生光を検出しなかったときに上記記録マークが記録されていることを検出する
ことを特徴とする請求項１２に記載の光ディスク装置。
【請求項２１】
上記体積型記録媒体は、一様に所定の反射率を有すると共に当該体積型記録媒体が局所的に変質され上記反射率が変化されることにより上記記録マークが形成され、
上記第１及び第２の検出手段は、上記反射率の変化に伴い変化する上記第１及び第２の再生光を検出する
ことを特徴とする請求項１２に記載の光ディスク装置。
【請求項２２】
上記体積型記録媒体の上記記録層は、一様に所定の屈折率を有すると共に当該体積型記録媒体が局所的に変質され上記屈折率が変化されることにより上記記録マークが形成され、
上記第１及び第２の検出手段は、上記屈折率の変化に伴い変化する上記第１及び第２の再生光を検出する
ことを特徴とする請求項１２に記載の光ディスク装置。
【請求項２３】
ディスク状でなり記録マークが複数のマーク層に渡り記録された体積型記録媒体に対し所定の光を照射することにより情報を再生する情報再生方法において、
第１の光が上記体積型記録媒体内で結ぶ焦点の位置を当該第１の光の光軸方向に調整すると共に第２の光が上記体積型記録媒体内で結ぶ焦点の位置を当該第２の光の光軸方向に調整することにより、同一の対物レンズを介した上記第１の光及び上記第２の光が上記体積型記録媒体内で互いに異なるマーク層の互いに対応する位置にそれぞれの焦点を合わせるよう制御し、上記互いに異なるマーク層の上記記録マークを基に第１及び第２の再生光をそれぞれ発生させる焦点制御ステップと、
上記第１及び第２の再生光をそれぞれ検出する検出ステップと、
上記検出ステップによる検出結果を統合することにより再生信号を生成する再生信号生成ステップと
を具えることを特徴とする情報再生方法。
【発明の詳細な説明】
【技術分野】
【０００１】
本発明は光ディスク装置、情報記録方法及び情報再生方法に関し、例えば光ディスクにホログラムを記録し、また再生する光ディスク装置に適用して好適なものである。
【背景技術】
【０００２】
従来、光ディスク装置においては、ＣＤ（Compact Disc）、ＤＶＤ（Digital Versatile Disc）及びＢｌｕ−ｒａｙ  Ｄｉｓｃ（登録商標、以下ＢＤと呼ぶ）等、光ディスクに対して光ビームを照射し、その反射光を読み取ることにより情報を再生するようになされたものが広く普及している。
【０００３】
またかかる従来の光ディスク装置では、当該光ディスクに対して光ビームを照射し、当該光ディスクの局所的な反射率等を変化させることにより、情報の記録を行うようになされている。
【０００４】
この光ディスクに関しては、当該光ディスク上に形成される光スポットの大きさは、およそλ／ＮＡ（λ：光ビームの波長、ＮＡ:開口数）で与えられ、解像度もこの値に比例することが知られている。例えば、直径１２０［ｍｍ］の光ディスクにおよそ２５［ＧＢ］のデータを記録し得るＢＤの詳細については、非特許文献１に示されている。
【０００５】
ところで光ディスクには、音楽コンテンツや映像コンテンツ等の各種コンテンツ、或いはコンピュータ用の各種データ等のような種々の情報が記録されるようになされている。特に近年では、映像の高精細化や音楽の高音質化等により情報量が増大し、また１枚の光ディスクに記録するコンテンツ数の増加が要求されているため、当該光ディスクのさらなる大容量化が要求されている。
【０００６】
そこで、１枚の光ディスク内で記録層を重ねることにより、１枚の光ディスクにおける記録容量を増加させる手法も提案されている（例えば、非特許文献２参照）。
【０００７】
一方、光ディスクに対する情報の記録手法として、ホログラムを用いた光ディスク装置も提案されている（例えば、非特許文献３参照）。
【０００８】
例えば図１に示すように、光ディスク装置１は、照射された光強度によって屈折率が変化するフォトポリマ等でなる光ディスク８中に、光学ヘッド７から一旦光ビームを集光し、その後光ディスク８の裏面側（図１では下側）に設けられた反射装置９を用いて、もう一度逆方向から光ビームを同一焦点位置に集光するようになされている。
【０００９】
光ディスク装置１は、レーザ２からレーザ光でなる光ビームを出射させ、音響光学変調器３によりその光波を変調し、コリメータレンズ４により平行光に変換する。続いて光ビームは、偏光ビームスプリッタ５を透過し、１／４波長板６により直線偏光から円偏光に変換されてから、光学ヘッド７へ入射される。
【００１０】
光学ヘッド７は、情報の記録及び再生を行い得るようになされており、光ビームをミラー７Ａにより反射し、対物レンズ７Ｂにより集光して、スピンドルモータ（図示せず）により回転されている光ディスク８に照射する。
【００１１】
このとき光ビームは、光ディスク８の内部で一旦合焦されてから、当該光ディスク８の裏面側に配置された反射装置９によって反射され、当該光ディスク８の裏面側から光ディスク８の内部における同一焦点に集光される。因みに反射装置９は、集光レンズ９Ａ、シャッタ９Ｂ、集光レンズ９Ｃ及び反射ミラー９Ｄにより構成されている。
【００１２】
この結果、図２（Ａ）に示すように、光ビームの焦点位置に定在波が生じ、全体的に２つの円錐体を互いの底面同士で貼り合わせたような形状でなる、光スポットサイズの小さなホログラムでなる記録マークＲＭを形成する。かくしてこの記録マークＲＭが情報として記録される。
【００１３】
光ディスク装置１は、光ディスク８の内部にこの記録マークＲＭを複数記録する際、当該光ディスク８を回転させ各記録マークＲＭを同心円状又は螺旋状のトラックに沿って配置することにより一つのマーク記録層を形成し、さらに光ビームの焦点位置を調整することにより、マーク記録層を複数層重ねるように各記録マークＲＭを記録することができる。
【００１４】
これにより光ディスク８は、内部に複数のマーク記録層を有する多層構造となる。例えば光ディスク８は、図２（Ｂ）に示すように、記録マークＲＭ間の距離（マークピッチ）ｐ１が１．５［μｍ］、トラック間の距離（トラックピッチ）ｐ２が２［μｍ］、層間の距離ｐ３が２２．５［μｍ］となっている。
【００１５】
また光ディスク装置１は、記録マークＲＭが記録されたディスク８から情報を再生する場合、反射装置９のシャッタ９Ｂを閉じ、光ディスク８の裏面側から光ビームを照射しないようにする。
【００１６】
このとき光ディスク装置１は、光学ヘッド７によって光ディスク８中の記録マークＲＭへ光ビームを照射し、当該記録マークＲＭから発生する再生光ビームを当該光学ヘッド７へ入射させる。この再生光ビームは、１／４波長板６により円偏光から直線偏光に変換され、偏光ビームスプリッタ５により反射される。さらに再生光ビームは、集光レンズ１０により集光され、ピンホール板１１を介してフォトディテクタ１２へ照射される。
【００１７】
光ディスク装置１は、このときフォトディテクタ１２により再生光ビームの光量を検出し、その検出結果を基に情報を再生する。
【非特許文献１】Y.Kasami, Y.Kuroda, K.Seo,O.Kawakubo, S.Takagawa, M.Ono, and M.Yamada, Jpn. J. Appl. Phys., 39,756(2000)
【非特許文献２】I.Ichimura et al, Technical Digest of ISOM’04, pp52,Oct.11-15, 2005, Jeju Korea
【非特許文献３】R. R. McLeod et al.,“Microholographic multilayer optical disk data storage,” Appl. Opt., Vol. 44, 2005, pp3197
【発明の開示】
【発明が解決しようとする課題】
【００１８】
しかしながらかかる構成の光ディスク装置１は、回転され振動する光ディスク８に対して、情報を記録したい箇所に２種類の光ビームの焦点を合わせるといった高度な制御が必要となり、どうしてもその構成が複雑になってしまう。
【００１９】
また近年では、光ディスク８に記録する情報量を増加させるのみでなく、その記録速度や再生速度を向上させることにより記録や再生に要する時間を短縮したいといった要望がある。
【００２０】
この場合、光ディスク装置１は、光ディスク８の回転速度を上昇させ、又は記録マークＲＭの記録時間を短縮することが考えられる。
【００２１】
しかしながら光ディスク装置１は、光ディスク８自体の強度やスピンドルモータの性能、或いはブレ等の観点から、回転速度の上昇には限界があり、また記録マークＲＭを形成する際の物理的・化学的反応にある程度の時間を要することから、自ずと記録速度や再生速度の上限が定められてしまう。
【００２２】
このため光ディスク装置１は、記録や再生に要する時間を短縮することが困難であるという問題があった。
【００２３】
本発明は以上の点を考慮してなされたもので、光ディスクに対する情報記録及び当該光ディスクからの情報再生を短時間で完了し得る光ディスク装置、情報記録方法及び情報再生方法を提案しようとするものである。
【課題を解決するための手段】
【００２４】
かかる課題を解決するため本発明の光ディスク装置においては、ディスク状でなる体積型記録媒体に対し、記録すべき情報を基に所定の光を照射することにより記録マークを複数のマーク層に渡り記録する光ディスク装置において、第１の光が体積型記録媒体内で結ぶ焦点の位置を当該第１の光の光軸方向に調整する第１の焦点位置調整手段と、第２の光が体積型記録媒体内で結ぶ焦点の位置を当該第２の光の光軸方向に調整する第２の焦点位置調整手段と、同一の対物レンズを介した第１の光及び第２の光が体積型記録媒体内で互いに異なるマーク層の互いに対応する位置に焦点を結ぶよう第１の焦点位置調整手段及び第２の焦点位置調整手段を制御する焦点制御手段と、記録すべき情報を第１の光及び第２の光にそれぞれ対応付け照射させることにより、それぞれの焦点の位置に記録マークを形成させる記録制御手段とを設けるようにした。
【００２５】
これにより、情報を記録する際、第１及び第２の光により互いに関連がある情報を異なるマーク層の互いに対応する位置に記録マークとして記録することができるので、再生時に異なるマーク層の互いに対応する位置から互いに関連がある情報を並行して読み出させることができる。
【００２６】
また本発明の情報記録方法においては、記録すべき情報を基に、ディスク状でなる体積型記録媒体に対し所定の光を照射することにより記録マークを複数のマーク層に渡り記録する情報記録方法において、第１の光が体積型記録媒体内で結ぶ焦点の位置を当該第１の光の光軸方向に調整すると共に第２の光が体積型記録媒体内で結ぶ焦点の位置を当該第２の光の光軸方向に調整することにより、同一の対物レンズを介した第１の光及び第２の光が体積型記録媒体内で互いに異なるマーク層の互いに対応する位置に焦点を合わせるよう制御する焦点制御ステップと、記録すべき情報を第１の光及び第２の光にそれぞれ対応付け照射させることにより、それぞれの焦点の位置に記録マークを形成させる記録制御ステップとを設けるようにした。
【００２７】
これにより、情報を記録する際、第１及び第２の光により互いに関連がある情報を異なるマーク層の互いに対応する位置に記録マークとして記録することができるので、再生時に異なるマーク層の互いに対応する位置から互いに関連がある情報を並行して読み出させることができる。
【００２８】
さらに本発明の光ディスク装置においては、ディスク状でなり記録マークが複数のマーク層に渡り記録された体積型記録媒体に対し所定の光を照射することにより情報を再生する光ディスク装置において、第１の光が体積型記録媒体内で結ぶ焦点の位置を当該第１の光の光軸方向に調整する第１の焦点位置調整手段と、第２の光が体積型記録媒体内で結ぶ焦点の位置を当該第２の光の光軸方向に調整する第２の焦点位置調整手段と、同一の対物レンズを介した第１の光及び第２の光が体積型記録媒体内で互いに異なるマーク層の互いに対応する位置にそれぞれの焦点を合わせるよう第１の焦点位置調整手段及び第２の焦点位置調整手段を制御することにより、互いに異なるマーク層の記録マークを基に第１及び第２の再生光をそれぞれ発生させる焦点制御手段と、第１及び第２の再生光をそれぞれ検出する第１及び第２の検出手段と、第１及び第２の検出手段による検出結果を統合することにより再生信号を生成する再生信号生成手段とを設けるようにした。
【００２９】
これにより、情報を再生する際、異なるマーク層から第１及び第２の再生光を並行して検出することができるので、双方の検出結果を統合することにより光ディスクから情報を読み出す速度を高めることができる。
【００３０】
さらに本発明の情報再生方法においては、ディスク状でなり記録マークが複数のマーク層に渡り記録された体積型記録媒体に対し所定の光を照射することにより情報を再生する情報再生方法において、第１の光が体積型記録媒体内で結ぶ焦点の位置を当該第１の光の光軸方向に調整すると共に第２の光が体積型記録媒体内で結ぶ焦点の位置を当該第２の光の光軸方向に調整することにより、同一の対物レンズを介した第１の光及び第２の光が体積型記録媒体内で互いに異なるマーク層の互いに対応する位置にそれぞれの焦点を合わせるよう制御し、互いに異なるマーク層の記録マークを基に第１及び第２の再生光をそれぞれ発生させる焦点制御ステップと、第１及び第２の再生光をそれぞれ検出する検出ステップと、検出ステップによる検出結果を統合することにより再生信号を生成する再生信号生成ステップとを設けるようにした。
【００３１】
これにより、情報を再生する際、異なるマーク層から第１及び第２の再生光を並行して検出することができるので、双方の検出結果を統合することにより光ディスクから情報を読み出す速度を高めることができる。
【発明の効果】
【００３２】
本発明によれば、情報を記録する際、第１及び第２の光により互いに関連がある情報を異なるマーク層の互いに対応する位置に記録マークとして記録することができるので、再生時に異なるマーク層の互いに対応する位置から互いに関連がある情報を並行して読み出させることができ、かくして光ディスクに記録されたホログラムからの情報再生を短時間で完了し得る光ディスク装置及び情報記録方法を実現できる。
【００３３】
また本発明によれば、情報を再生する際、第１及び第２の再生光を並行して検出することができるので、双方の検出結果を統合することにより光ディスクから情報を読み出す速度を高めることができ、かくして光ディスクに記録されたホログラムからの情報再生を短時間で完了し得る光ディスク装置及び情報再生方法を実現できる。
【発明を実施するための最良の形態】
【００３４】
以下、図面について、本発明の一実施の形態を詳述する。
【００３５】
（１）ホログラムを利用した情報の記録再生原理
本発明による光ディスクの具体的な構成を説明する前に、情報の記録原理及び再生原理について説明する。
【００３６】
図３（Ａ）において、記録媒体Ｍは、略直方体状に形成されており、例えば波長４０５［ｎｍ］でなる青色光ビームに反応し、照射された光強度によって屈折率が変化するフォトポリマ等でなるものとする。
【００３７】
この記録媒体Ｍは、事前のフォーマット処理として、図の上側及び下側から波長４０５［ｎｍ］でなる青色光ビームＬｂ１及びＬｂ２が全体的に照射されることにより、一様にホログラムが形成されている。
【００３８】
この記録媒体Ｍに対して、例えば波長４０５［ｎｍ］でなる青色光ビームＬｂ１を集光するよう所定の強度で照射した場合、当該青色光ビームＬｂ１によりホログラムが破壊され、図３（Ｂ）に示すように、ホログラムが破壊された部分でなる記録マークＲＭが形成される。
【００３９】
この結果、図３（Ｃ）に示すように、記録媒体Ｍのうち記録マークＲＭが形成されていない箇所に対して、フォーマット時と同波長の青色光ビームＬｂ１が照射された場合、ホログラムとしての性質により、当該青色光ビームＬｂ１の照射箇所から再生光ビームＬｂ３が発生する。
【００４０】
一方、記録マークＲＭが記録された箇所は、ホログラムが破壊されていることから、青色光ビームＬｂ１が照射されても、ホログラムとしての性質を呈さないこととなり、再生光ビームＬｂ３は発生しない。
【００４１】
そこで、例えば情報を２進数表示したときの値「０」及び「１」を、それぞれ「記録マークＲＭなし（すなわちホログラム未破壊）」及び「記録マークＲＭあり（すなわちホログラム破壊済み）」に割り当てることにより、記録媒体Ｍに対して情報を記録し、また再生することが可能となる。
【００４２】
このようにホログラムを利用した情報の記録及び再生では、予めフォーマットされることにより全体的にホログラムが形成された上で、情報の記録及び再生のいずれにおいても、例えば青色光ビームＬｂ１のように１本の光ビームが用いられるようになされている。
【００４３】
（２）第１の実施の形態
（２−１）光ディスクの構成
次に、本実施の形態において情報記録媒体として用いられる光ディスク１００について説明する。図４に外観図を示すように、光ディスク１００は、全体として従来のＣＤ、ＤＶＤ及びＢＤと同様に直径約１２０［ｍｍ］の円盤状に構成されている。
【００４４】
また光ディスク１００は、図５に断面図を示すように、情報を記録するための記録層１０１を中心に有しており、基板１０２及び１０３により当該記録層１０１を両面から挟むように構成されている。
【００４５】
基板１０２及び１０３は、例えばポリカーボネイトやガラス等の材料により構成されており、いずれも一面から入射される光をその反対面へ高い透過率で透過させるようになされている。また基板１０２及び１０３は、ある程度の強度を有しており、記録層１０１を保護する役割も担うようになされている。
【００４６】
因みに光ディスク１００は、厚さ方向に関して記録層１０１を中心としたほぼ対称な構造となっており、全体として経年変化等による反りや歪み等の発生を極力抑えるようにも配慮されている。なお基板１０２及び１０３の表面については、無反射コーティングにより不要な反射が防止されるようになされていても良い。
【００４７】
記録層１０１は、光ディスク８（図１）及び記録媒体Ｍ（図３）と同様、照射された光強度によって屈折率が変化するフォトポリマ等でなり、波長４０５［ｎｍ］でなる青色光ビームに反応するようになされている。
【００４８】
実際上、光ディスク１００は、情報の記録時及び再生時に、対物レンズＯＬにより青色光ビームＬｂ１が集光されて照射されるようになされている（詳しくは後述する）。
【００４９】
このとき記録層１０１の内部では、青色光ビームＬｂ１の焦点Ｆｂ１の近傍における光強度が高められるため、当該焦点Ｆｂ１近傍のホログラムが破壊され、記録マークＲＭが形成される。
【００５０】
また光ディスク１００は、記録層１０１と基板１０２との境界面に反射透過層としての反射透過膜１０４を有している。反射透過膜１０４は、誘電体多層膜等でなり、波長４０５［ｎｍ］でなる青色光ビームＬｂ１及びＬｂ２並びに青色再生光ビームＬｂ３及びＬｂ４を透過すると共に、波長６６０［ｎｍ］でなる赤色光ビームＬｒ１を反射するといった波長選択性を有している。
【００５１】
また反射透過膜１０４は、トラッキングサーボ用の案内溝を形成しており、具体的には、一般的なＢＤ−Ｒ（Recordable）ディスク等と同様のランド及びグルーブにより螺旋状のトラックを形成している。このトラックには、所定の記録単位ごとに一連の番号でなるアドレスが付されており、情報を記録又は再生するトラックを当該アドレスにより特定し得るようになされている。
【００５２】
なお反射透過膜１０４（すなわち記録層１０１と基板１０２との境界面）には、案内溝に代えてピット等が形成され、或いは案内溝とピット等とが組み合わされていても良く、要は光ビームを用いてアドレスを認識し得れば良い。
【００５３】
この反射透過膜１０４は、基板１０２側から赤色光ビームＬｒ１が照射された場合、これを当該基板１０２側へ反射する。以下、このとき反射された光ビームを赤色反射光ビームＬｒ２と呼ぶ。
【００５４】
赤色反射光ビームＬｒ２は、例えば光ディスク装置において、目標とするトラック（以下、これを目標トラックと呼ぶ）に対して、所定の対物レンズＯＬにより集光された赤色光ビームＬｒ１の焦点Ｆｒを合わせるための、当該対物レンズＯＬの位置制御（すなわちフォーカス制御及びトラッキング制御）に用いられることが想定されている。なお以下では、光ディスク１００の基板１０２側の面を面１００Ａと呼ぶ。
【００５５】
実際上、光ディスク１００に情報が記録されるとき、図５に示したように、位置制御された対物レンズＯＬにより赤色光ビームＬｒ１が集光され、反射透過膜１０４の目標トラックに合焦される。
【００５６】
また、当該赤色光ビームＬｒ１と光軸Ｌｘを共有し当該対物レンズＯＬにより集光された青色光ビームＬｂ１が、基板１０２及び反射透過膜１０４を透過し、記録層１０１内における当該目標トラックの裏側（すなわち基板１０３側）に相当する位置に合焦される。このとき青色光ビームＬｂ１の焦点Ｆｂ１は、対物レンズＯＬを基準として、共通の光軸Ｌｘ上における焦点Ｆｒよりも遠方に位置することになる。
【００５７】
この結果、光ディスク１００には、記録層１０１内における目標トラックの裏側に相当する焦点Ｆｂ１の位置に、比較的小さい記録マークＲＭ（以下これを第１記録マークＲＭ１と呼ぶ）が記録される。
【００５８】
このとき記録層１０１内には、収束光でなる青色光ビームＬｂ１が所定強度以上となった部分のホログラムが破壊され、記録マークＲＭが形成される。このため記録マークＲＭは、図３（Ｂ）に示したように、上下に長い楕円体のような形状となる。
【００５９】
因みに、記録マークＲＭは、直径ＲＭｒが約１．０［μｍ］、高さＲＭｈが約９．７［μｍ］となっている。
【００６０】
さらに光ディスク１００は、記録層１０１の厚さｔ１（＝０．３［ｍｍ］）が記録マークＲＭの高さＲＭｈよりも充分に大きくなるよう設計されている。このため光ディスク１００は、記録層１０１内における記録反射膜１０４からの距離（以下、これを深さと呼ぶ）が切り換えられながら記録マークＲＭが記録されることにより、図２（Ｂ）に示したような、複数のマーク記録層を当該光ディスク１００の厚さ方向に重ねた多層記録を行い得るようになされている。
【００６１】
この場合、光ディスク１００の記録層１０１内において、青色光ビームＬｂ１の焦点Ｆｂ１の深さが調整されることにより、記録マークＲＭの深さが変更されることになる。例えば光ディスク１００は、記録マークＲＭ同士の相互干渉等を考慮してマーク記録層同士の距離ｐ３が約１５［μｍ］に設定されれば、記録層１０１内に約２０層のマーク記録層を形成することができる。なお距離ｐ３については、約１５［μｍ］とする以外にも、記録マークＲＭ同士の相互干渉等を考慮した上で他の種々の値としても良い。
【００６２】
さらに光ディスク１００は、情報が記録される場合、図５に示したように、赤色光ビームＬｒ１及び青色光ビームＬｂ１と光軸Ｌｘを共有し当該対物レンズＯＬにより集光された青色光ビームＬｂ２が、基板１０２及び反射透過膜１０４を透過し、記録層１０１内における当該目標トラックの裏側（すなわち基板１０３側）に相当する位置に合焦されるようにもなされている。このとき青色光ビームＬｂ２の焦点Ｆｂ２は、対物レンズＯＬを基準として、共通の光軸Ｌｘ上における焦点Ｆｒ及び青色光ビームＬｂ１の焦点Ｆｂ１のいずれよりも遠方に位置することになる。
【００６３】
この結果、光ディスク１００には、焦点Ｆｂ２の位置、すなわち記録層１０１内における目標トラックの裏側における目標深さ（以下、第２目標深さとも呼ぶ）となる位置（以下、第２目標マーク位置ＰＳ２と呼ぶ）に、比較的小さい記録マークＲＭ（以下これを第２記録マークＲＭ２と呼ぶ）が記録される。このとき記録層１０１内には、青色光ビームＬｂ１の場合と同様、収束光でなる青色光ビームＬｂ２が所定強度以上となった部分のホログラムが破壊され、当該第２記録マークＲＭ２が形成される。
【００６４】
このように光ディスク１００は、情報が記録される場合、位置制御用の赤色光ビームＬｒ１、情報記録用の青色光ビームＬｂ１及びＬｂ２が用いられることにより、記録層１０１内において焦点Ｆｂ１及びＦｂ２の位置、すなわち反射透過膜１０４における目標トラックの裏側となり且つ第１目標深さ及び第２目標深さとなる第１目標マーク位置ＰＳ１及び第２目標マーク位置ＰＳ２において、第１記録マークＲＭ１及び第２記録マークＲＭ２が同時に記録され得るようになされている。
【００６５】
また光ディスク１００は、情報が再生される場合、当該情報を記録したときと同様、対物レンズＯＬにより集光された赤色光ビームＬｒ１が反射透過膜１０４の目標トラックに合焦するよう、当該対物レンズＯＬが位置制御されるようになされている。
【００６６】
この場合、光ディスク１００は、同一の対物レンズＯＬを介し基板１０２及び反射透過膜１０４を透過した青色光ビームＬｂ１の焦点Ｆｂ１が記録層１０１内における第１目標マーク位置ＰＳ１に合焦されるようになされている。
【００６７】
ここで第１目標マーク位置ＰＳ１に第１記録マークＲＭ１が記録されていない場合、当該第１目標マーク位置ＰＳ１は、ホログラムが破壊されず残されているためにホログラムとしての性質を呈する。このため記録層１０１の当該第１目標マーク位置ＰＳ１からは、青色再生光ビームＬｂ３が発生する。
【００６８】
この青色再生光ビームＬｂ３は、フォーマット時に照射された青色光ビームＬｂ２と同等の光学特性を有しており、当該青色光ビームＬｂ２と同じ方向へ、すなわち記録層１０１内から基板１０２側へ発散しながら進むことになる。
【００６９】
一方、第１目標マーク位置ＰＳ１に第１記録マークＲＭ１が記録されている場合、当該第１記録マークＲＭ１は、ホログラムとしての性質を呈さない。このため当該第１目標マーク位置ＰＳ１からは、青色再生光ビームＬｂ３が発生しない。
【００７０】
さらに光ディスク１００は、情報が再生される際、記録時と同様に図示しない光学素子によって青色光ビームＬｂ２の焦点Ｆｂ２が調整され、図５に示したように、第２目標マーク位置ＰＳ２の記録マークＲＭ２に合焦されるようにもなされている。
【００７１】
ここで第２目標マーク位置ＰＳ２に第２記録マークＲＭ２が記録されていない場合、当該第２目標マーク位置ＰＳ２は、ホログラムが破壊されず残されているためにホログラムとしての性質を呈する。このため記録層１０１の当該第２目標マーク位置ＰＳ２からは、青色再生光ビームＬｂ４が発生する。この青色再生光ビームＬｂ４は、青色再生光ビームＬｂ３と同様に、記録層１０１内から基板１０２側へ発散しながら進むことになる。
【００７２】
一方、第２目標マーク位置ＰＳ２に第２記録マークＲＭ２が記録されている場合、当該第２記録マークＲＭ２は、ホログラムとしての性質を呈さない。このため当該第２目標マーク位置ＰＳ２からは、青色再生光ビームＬｂ４が発生しない。
【００７３】
このように光ディスク１００は、記録済みの情報が再生される場合、記録層１０１内において２本の青色光ビームＬｂ１及びＬｂ２の焦点Ｆｂ１及びＦｂ２が互いに異なる第１目標マーク位置ＰＳ１及び第２目標マーク位置ＰＳ２に合焦されることにより、当該第１目標マーク位置ＰＳ１及び第２目標マーク位置ＰＳ２における第１記録マークＲＭ１及び第２記録マークＲＭ２の有無に応じて、青色再生光ビームＬｂ３及び青色再生光ビームＬｂ４をそれぞれ発生するようになされている。
【００７４】
（２−２）光ディスク装置の構成
次に、上述した光ディスク１００に対応した光ディスク装置２０について説明する。光ディスク装置２０は、図６に示すように、制御部２１により全体を統括制御するようになされている。
【００７５】
制御部２１は、図示しないＣＰＵ（Central Processing Unit）を中心に構成されており、図示しないＲＯＭ（Read Only Memory）から基本プログラムや情報記録プログラム等の各種プログラムを読み出し、これらを図示しないＲＡＭ（Random Access Memory）に展開することにより、情報記録処理や情報再生処理等の各種処理を実行するようになされている。
【００７６】
例えば制御部２１は、光ディスク１００が装填された状態で、図示しない外部機器等から情報記録命令、記録情報及び記録アドレス情報を受け付けると、駆動命令及び記録アドレス情報を駆動制御部２２へ供給すると共に、記録情報を信号処理部２３へ供給する。因みに記録アドレス情報は、光ディスク１００の記録層１０１又は反射透過膜１０４に付されたアドレスのうち、記録情報を記録すべきアドレスを示す情報である。
【００７７】
駆動制御部２２は、駆動命令に従い、スピンドルモータ２４を駆動制御することにより光ディスク１００を所定の回転速度で回転させると共に、スレッドモータ２５を駆動制御することにより、光ピックアップ２６を移動軸２５Ａ及び２５Ｂに沿って光ディスク１００の径方向（すなわち内周方向又は外周方向）における記録アドレス情報に対応した位置へ移動させる。
【００７８】
信号処理部２３は、供給された記録情報に対して所定の符号化処理や変調処理等の各種信号処理を施すことにより記録信号を生成し、これを光ピックアップ２６へ供給する。
【００７９】
光ピックアップ２６は、駆動制御部２２の制御に基づいてフォーカス制御及びトラッキング制御を行うことにより、光ディスク１００の記録層１０１又は反射透過膜１０４における記録アドレス情報により示されるトラック（以下、これを目標トラックと呼ぶ）に光ビームの照射位置を合わせ、信号処理部２３からの記録信号に応じた記録マークＲＭを記録するようになされている（詳しくは後述する）。
【００８０】
また制御部２１は、例えば外部機器（図示せず）から情報再生命令及び当該記録情報のアドレスを示す再生アドレス情報を受け付けると、駆動制御部２２に対して駆動命令を供給すると共に、再生処理命令を信号処理部２３へ供給する。
【００８１】
駆動制御部２２は、情報を記録する場合と同様、スピンドルモータ２４を駆動制御することにより光ディスク１００を所定の回転速度で回転させると共に、スレッドモータ２５を駆動制御することにより光ピックアップ２６を再生アドレス情報に対応した位置へ移動させる。
【００８２】
光ピックアップ２６は、駆動制御部２２の制御に基づいてフォーカス制御及びトラッキング制御を行うことにより、光ディスク１００の記録層１０１又は反射透過膜１０４における再生アドレス情報により示されるトラック（すなわち目標トラック）に光ビームの照射位置を合わせ、所定光量の光ビームを照射する。このとき光ピックアップ２６は、光ディスク１００における記録層１０１の記録マークＲＭから発生される再生光ビームを検出し、その光量に応じた検出信号を信号処理部２３へ供給するようになされている（詳しくは後述する）。
【００８３】
信号処理部２３は、供給された検出信号に対して所定の復調処理や復号化処理等の各種信号処理を施すことにより再生情報を生成し、この再生情報を制御部２１へ供給する。これに応じて制御部２１は、この再生情報を外部機器（図示せず）へ送出するようになされている。
【００８４】
このように光ディスク装置２０は、制御部２１によって光ピックアップ２６を制御することにより、光ディスク１００の記録層１０１における目標トラックに情報を記録し、また当該目標トラックから情報を再生するようになされている。
【００８５】
（２−３）光ピックアップの構成
次に、光ピックアップ２６の構成について説明する。図７に模式的に示すように、光ピックアップ２６は、多数の光学部品が設けられており、大きく分けて位置制御光学系３０及び情報光学系５０により構成されている。
【００８６】
（２−３−１）位置制御光学系の構成
位置制御光学系３０は、光ディスク１００の面１００Ａに対して赤色光ビームＬｒ１を照射し、当該光ディスク１００により当該赤色光ビームＬｒ１が反射されてなる赤色反射光ビームＬｒ２を受光するようになされている。
【００８７】
図７において位置制御光学系３０のレーザダイオード３１は、波長約６６０［ｎｍ］の赤色レーザ光を射出し得るようになされている。実際上レーザダイオード３１は、制御部２１（図６）の制御に基づいて発散光でなる所定光量の赤色光ビームＬｒ１を射出し、コリメータレンズ３２へ入射させる。因みに赤色光ビームＬｒ１は、例えばｓ偏光でなる。
【００８８】
コリメータレンズ３２は、赤色光ビームＬｒ１を発散光から平行光に変換し無偏光ビームスプリッタ３３の面３３Ｂへ入射させる。無偏光ビームスプリッタ３３は、赤色光ビームＬｒ１を反射透過面３３Ｓにおいて約５０％の割合で反射し、面３３Ａから出射させダイクロックプリズム３４へ入射させる。
【００８９】
ダイクロックプリズム３４の反射透過面３４Ｓは、光ビームの波長により透過率及び反射率が異なる、いわゆる波長選択性を有しており、波長約６６０［ｎｍ］の赤色光ビームをほぼ１００％の割合で透過し、波長約４０５［ｎｍ］の青色光ビームをほぼ１００％の割合で反射するようになされている。このためダイクロックプリズム３４は、当該反射透過面３４Ｓにおいて赤色光ビームＬｒ１を透過し、偏光ビームスプリッタ３５の面３５Ｃへ入射させる。
【００９０】
偏光ビームスプリッタ３５は、反射透過面３５Ｓにおいて、光ビームの偏光方向に応じて例えばｐ偏光成分を反射すると共にｓ偏光成分を透過するようになされている。実際上、偏光ビームスプリッタ３５は、反射透過面３５Ｓにおいて、ｓ偏光でなる赤色光ビームＬｒ１を透過し、面３５Ａから出射させ対物レンズ３６へ入射させる。
【００９１】
対物レンズ３６は、赤色光ビームＬｒ１を集光し、光ディスク１００の面１００Ａへ向けて照射する。このとき赤色光ビームＬｒ１は、図５（Ａ）に示したように、基板１０２を透過し反射透過膜１０４において反射され、赤色光ビームＬｒ１と反対方向へ向かう赤色反射光ビームＬｒ２となる。
【００９２】
この後、赤色反射光ビームＬｒ２は、対物レンズ３６により平行光に変換され、偏光ビームスプリッタ３５及びダイクロックプリズム３４を順次透過し、無偏光ビームスプリッタ３３の面３３Ａへ入射される。
【００９３】
無偏光ビームスプリッタ３３は、赤色反射光ビームＬｒ２を約５０％の割合で透過することにより面３３Ｃから出射させ、集光レンズ３７へ入射させる。集光レンズ３７は、赤色反射光ビームＬｒ２を収束させ、シリンドリカルレンズ３８により非点収差を持たせた上で当該赤色反射光ビームＬｒ２をフォトディテクタ３９へ照射する。
【００９４】
ところで光ディスク装置２０では、回転する光ディスク１００においていわゆる面ブレ等が発生する可能性があるため、位置制御光学系３０に対する目標トラックの相対的な位置が変動する可能性がある。
【００９５】
このため、位置制御光学系３０において赤色光ビームＬｒ１の焦点Ｆｒ（図５）を目標トラックに追従させるには、当該焦点Ｆｒを光ディスク１００に対する近接方向又は離隔方向であるフォーカス方向及び光ディスク１００の内周側方向又は外周側方向であるトラッキング方向へ移動させる必要がある。
【００９６】
そこで対物レンズ３６は、２軸アクチュエータ３６Ａにより、フォーカス方向及びトラッキング方向の２軸方向へ駆動され得るようになされている。
【００９７】
また位置制御光学系３０（図８）では、対物レンズ３６により赤色光ビームＬｒ１が集光され光ディスク１００の反射透過膜１０４へ照射されるときの合焦状態が、集光レンズ３７により赤色反射光ビームＬｒ２が集光されフォトディテクタ３９に照射されるときの合焦状態に反映されるよう、各種光学部品の光学的位置等が調整されている。
【００９８】
フォトディテクタ３９は、図８に示すように、赤色反射光ビームＬｒ２が照射される面上に、格子状に分割された４つの検出領域３９Ａ、３９Ｂ、３９Ｃ及び３９Ｄを有している。因みに矢印ａ１により示される方向（図中の縦方向）は、赤色光ビームＬｒ１が反射透過膜１０４（図５）に照射されるときの、トラックの走行方向に対応している。
【００９９】
フォトディテクタ３９は、検出領域３９Ａ、３９Ｂ、３９Ｃ及び３９Ｄにより赤色反射光ビームＬｒ２の一部をそれぞれ検出し、このとき検出した光量に応じて検出信号ＳＤＡｒ、ＳＤＢｒ、ＳＤＣｒ及びＳＤＤｒをそれぞれ生成して、これらを信号処理部２３（図６）へ送出する。
【０１００】
信号処理部２３は、いわゆる非点収差法によるフォーカス制御を行うようになされており、次に示す（１）式に従ってフォーカスエラー信号ＳＦＥｒを算出し、これを駆動制御部２２へ供給する。
【０１０１】
【数１】
2008251134.tif 000003
【０１０２】
このフォーカスエラー信号ＳＦＥｒは、赤色光ビームＬｒ１の焦点Ｆｒと光ディスク１００の反射透過膜１０４とのずれ量（すなわち距離）の大きさを表すことになる。
【０１０３】
また信号処理部２３は、いわゆるプッシュプル法によるトラッキング制御を行うようになされており、次に示す（２）式に従ってトラッキングエラー信号ＳＴＥｒを算出し、これを駆動制御部２２へ供給する。
【０１０４】
【数２】
2008251134.tif 000004
【０１０５】
このトラッキングエラー信号ＳＴＥｒは、赤色光ビームＬｒ１の焦点Ｆｒと光ディスク１００の反射透過膜１０４における目標トラックとのずれ量（すなわち距離）の大きさを表すことになる。
【０１０６】
駆動制御部２２は、フォーカスエラー信号ＳＦＥｒを基にフォーカス駆動信号ＳＦＤｒを生成し、当該フォーカス駆動信号ＳＦＤｒを２軸アクチュエータ３６Ａへ供給することにより、赤色光ビームＬｒ１が光ディスク１００の反射透過膜１０４に合焦するよう、対物レンズ３６をフィードバック制御（すなわちフォーカス制御）する。
【０１０７】
また駆動制御部２２は、トラッキングエラー信号ＳＴＥｒを基にトラッキング駆動信号ＳＴＤｒを生成し、当該トラッキング駆動信号ＳＴＤｒを２軸アクチュエータ３６Ａへ供給することにより、赤色光ビームＬｒ１が光ディスク１００の反射透過膜１０４における目標トラックに合焦するよう、対物レンズ３６をフィードバック制御（すなわちトラッキング制御）する。
【０１０８】
このように位置制御光学系３０は、赤色光ビームＬｒ１を光ディスク１００の反射透過膜１０４に照射し、その反射光である赤色反射光ビームＬｒ２の受光結果を信号処理部２３へ供給するようになされている。これに応じて駆動制御部２２は、当該赤色光ビームＬｒ１を当該反射透過膜１０４の目標トラックに合焦させるよう、対物レンズ３６のフォーカス制御及びトラッキング制御を行うようになされている。
【０１０９】
（２−３−２）情報光学系の構成
情報光学系５０（図７）は、光ディスク１００の面１００Ａに対して青色光ビームＬｂ１及びＬｂ２を照射するようになされており、また当該光ディスク１００において発生する青色再生光ビームＬｂ３及びＬｂ４を受光するようになされている。
【０１１０】
（２−３−２−１）青色光ビームの光路（１）
情報光学系５０のレーザダイオード５１は、波長約４０５［ｎｍ］の青色レーザ光を射出し得るようになされている。実際上レーザダイオード５１は、制御部２１（図６）の制御に基づいて発散光でなる青色光ビームＬｂ１を射出し、コリメータレンズ５２へ入射させる。因みに青色光ビームＬｂ１は、例えばｐ偏光でなる。
【０１１１】
コリメータレンズ５２は、青色光ビームＬｂ１を発散光から平行光に変換し、無偏光ビームスプリッタ５４の面５４Ｄに入射させる。無偏光ビームスプリッタ５４は、反射透過面５４Ｓにおいて青色光ビームＬｂ１を所定の割合（例えば約５０％）で透過し、面５４Ｂから出射させ液晶パネル５７へ入射させる。
【０１１２】
液晶パネル５７は、青色光ビームＬｂ１の球面収差や光ディスク１００の傾きに起因するコマ収差等を補正し、リレーレンズ５８へ入射させる。
【０１１３】
リレーレンズ５８は、可動レンズ５９により青色光ビームＬｂ１を平行光から収束光に変換し、収束後に発散光となった当該青色光ビームＬｂ１を固定レンズ６０により再度収束光に変換して、偏光ビームスプリッタ３５の面３５Ｄへ入射させる。
【０１１４】
ここで可動レンズ５９は、アクチュエータ５９Ａにより青色光ビームＬｂ１の光軸方向に移動されるようになされている。実際上、リレーレンズ５８は、制御部２１（図６）の制御に基づきアクチュエータ５９Ａによって可動レンズ５９を移動させることにより、固定レンズ６０から出射される青色光ビームＬｂ１の収束状態を変化させ得るようになされている。
【０１１５】
偏光ビームスプリッタ３５は、反射透過面３５Ｓにおいてｓ偏光でなる青色光ビームＬｂ２を透過し、対物レンズ３６へ入射させる。対物レンズ３６は、青色光ビームＬｂ１を集光し、光ディスク１００の面１００Ａへ照射する。因みに対物レンズ３６は、青色光ビームＬｂ１に関しては、リレーレンズ５８との光学的な距離等の関係により、開口数（ＮＡ）が０．５の集光レンズとして作用することになる。
【０１１６】
このとき青色光ビームＬｂ１は、図５に示したように、基板１０２及び反射透過膜１０４を透過し、記録層１０１内に合焦する。ここで当該青色光ビームＬｂ１の焦点Ｆｂ１の位置は、リレーレンズ５８の固定レンズ６０から出射される際の収束状態により定められることになる。すなわち焦点Ｆｂ１は、可動レンズ５９の位置に応じて記録層１０１内の面１００Ａ側又はその反対側へ移動することになる。
【０１１７】
具体的に情報光学系５０は、可動レンズ５９の移動距離と青色光ビームＬｂ１の焦点Ｆｂ１の移動距離とがほぼ比例関係となるように設計されており、例えば可動レンズ５９を１［ｍｍ］移動させると、青色光ビームＬｂ１の焦点Ｆｂ１が３０［μｍ］移動するようになされている。
【０１１８】
実際上、情報光学系５０は、制御部２１（図６）によって可動レンズ５９の位置が制御されることにより、光ディスク１００の記録層１０１内における青色光ビームＬｂ１の焦点Ｆｂ１（図５）の深さｄ１（すなわち反射透過膜１０４からの距離）を調整するようになされている。
【０１１９】
このように情報光学系５０では、リレーレンズ５８における可動レンズ５９の位置を制御することにより、無偏光ビームスプリッタ５４の面５４Ａから出射される青色光ビームＬｂ１の焦点Ｆｂ１が光ディスク１００の記録層１０１内における所望の焦点深さｄに位置するよう調整するようになされている。なお、以下では、青色光ビームＬｂ１が辿る光路を青光路１と呼ぶ。
【０１２０】
（２−３−２−２）青色光ビームの光路（２）
レーザダイオード７１は、レーザダイオード５１と同様、波長約４０５［ｎｍ］の青色レーザ光を射出し得るようになされている。実際上レーザダイオード７１は、制御部２１（図６）の制御に基づいて発散光でなる青色光ビームＬｂ２を射出し、コリメータレンズ７２へ入射させる。
【０１２１】
コリメータレンズ７２は、青色光ビームＬｂ２を発散光から平行光に変換し、１／２波長板７３へ入射させる。青色光ビームＬｂ２は、１／２波長板７３によって偏光方向が所定角度回転されることにより、例えばｐ偏光からｓ偏光に変換し、無偏光ビームスプリッタ７４の面７４Ｄに入射される。
【０１２２】
無偏光ビームスプリッタ７４は、反射透過面７４Ｓにおいて青色光ビームＬｂ２を所定の割合（例えば約５０％）で透過し、面７４Ｂから出射させ液晶パネル７５へ入射させる。液晶パネル７５は、青色光ビームＬｂ２の球面収差や光ディスク１００の傾きに起因するコマ収差等を補正し、リレーレンズ７６へ入射させる。
【０１２３】
リレーレンズ７６は、可動レンズ７７により青色光ビームＬｂ２を平行光から収束光に変換し、収束後に発散光となった当該青色光ビームＬｂ２を固定レンズ７８により再度収束光に変換し、ダイクロックプリズム３４の面３４Ｄへ入射させる。
【０１２４】
ここで可動レンズ７７は、アクチュエータ７７Ａにより青色光ビームＬｂ１の光軸方向に移動されるようになされている。実際上、リレーレンズ７６は、制御部２１（図６）の制御に基づきアクチュエータ７７Ａによって可動レンズ７７を移動させることにより、固定レンズ７８から出射される青色光ビームＬｂ２の収束状態を変化させ得るようになされている。
【０１２５】
ダイクロックプリズム３４は、反射透過面３４Ｓにおいて青色光ビームＬｂ２を反射し、面３４Ａから出射させて偏光ビームスプリッタ３５の面３５Ｃへ入射させる。偏光ビームスプリッタ３５は、反射透過面３５Ｓにおいてｓ偏光でなる青色光ビームＬｂ２を透過し、対物レンズ３６へ入射させる。
【０１２６】
対物レンズ３６は、青色光ビームＬｂ２を集光し、光ディスク１００の面１００Ａへ照射する。因みに対物レンズ３６は、青色光ビームＬｂ２に関しては、リレーレンズ５８との光学的な距離等の関係により、青色光ビームＬｂ１の場合と同様、開口数（ＮＡ）が０．５の集光レンズとして作用することになる。
【０１２７】
このとき青色光ビームＬｂ２は、図５に示したように、基板１０２及び反射透過膜１０４を透過し、記録層１０１内に合焦する。ここで当該青色光ビームＬｂ２の焦点Ｆｂ２の位置は、リレーレンズ７６の固定レンズ７８から出射される際の収束状態により定められることになる。すなわち焦点Ｆｂ２は、可動レンズ７７の位置に応じて記録層１０１内の面１００Ａ側又はその反対側へ移動することになる。
【０１２８】
具体的に情報光学系５０は、青色光ビームＬｂ１の場合と同様、可動レンズ７７の移動距離と青色光ビームＬｂ２の焦点Ｆｂ２の移動距離とがほぼ比例関係となるように設計されており、例えば可動レンズ７７を１［ｍｍ］移動させると、青色光ビームＬｂ２の焦点Ｆｂ２が３０［μｍ］移動するようになされている。
【０１２９】
実際上、情報光学系５０は、制御部２１（図６）によって可動レンズ７７の位置が制御されることにより、光ディスク１００の記録層１０１内における青色光ビームＬｂ２の焦点Ｆｂ２（図５）の深さｄ２を調整するようになされている。
【０１３０】
因みにリレーレンズ５８及び７６は、制御部２１により可動レンズ５９及び７７を互いに独立して調整する以外にも、互いに連動して調整し得るようにもなされている。
【０１３１】
このように情報光学系５０では、リレーレンズ７６における可動レンズ７７の位置を制御することにより、レーザダイオード７１から出射される青色光ビームＬｂ２の焦点Ｆｂ２が光ディスク１００の記録層１０１内における所望の焦点深さｄ２に位置するよう調整するようになされている。なお、以下では、青色光ビームＬｂ２が辿る光路を青光路２と呼ぶ。
【０１３２】
（２−３−２−３）青色光ビームの光路（３）
ところで光ディスク１００（図５）は、上述したように、青色光ビームＬｂ１が照射された際、記録層１０１における焦点Ｆｂ１の位置（すなわち第１目標マーク位置ＰＳ１）に第１記録マークＲＭが記録されていなかった場合、ホログラムとしての性質を呈するため、青色再生光ビームＬｂ３を発生する。このとき青色再生光ビームＬｂ３は、例えば青色光ビームＬｂ１と同様のｓ偏光となる。
【０１３３】
この青色再生光ビームＬｂ３は、図７に示した青色光ビームＬｂ１の青光路１を逆方向へ辿るように、対物レンズ３６により平行光に変換された後、無偏光ビームスプリッタ３５の面３５Ａに入射される。無偏光ビームスプリッタ３５は、反射透過面３５Ｓにおいてｓ偏光でなる青色再生光ビームＬｂ３を反射し、面３５Ｄからリレーレンズ５８へ入射させる。
【０１３４】
リレーレンズ５８は、固定レンズ６０及び可動レンズ５９を順次介して青色再生光ビームＬｂ３を無偏光ビームスプリッタ５４の面５４Ａへ入射させる。無偏光ビームスプリッタ５４は、ｓ偏光でなる青色再生光ビームＬｂ３を反射透過面５４Ｓにおいて一部反射させ、面５４Ｃから出射させて集光レンズ６１へ入射させる。
【０１３５】
集光レンズ６１は、青色再生光ビームＬｂ３を収束させ、所定径の孔６２Ｈが設けられたピンホール板６２を介してフォトディテクタ６３へ照射させる。フォトディテクタ６３は、青色再生光ビームＬｂ３の光量を検出し、このとき検出した光量に応じて検出信号ＳＤ１を生成し、これを信号処理部２３（図６）へ供給するようになされている（詳しくは後述する）。なお、以下では、青色再生光ビームＬｂ３が辿る光路を青光路３と呼ぶ。
【０１３６】
（２−３−２−４）青色光ビームの光路（４）
また光ディスク１００（図５）は、上述したように、青色光ビームＬｂ２が照射された際、青色光ビームＬｂ１と同様、記録層１０１における焦点Ｆｂ２の位置（すなわち第２目標マーク位置ＰＳ２）に第２記録マークＲＭが記録されていなかった場合、ホログラムとしての性質を呈するため、青色再生光ビームＬｂ４を発生する。このとき青色再生光ビームＬｂ４は、例えば青色光ビームＬｂ２と同様のｐ偏光となる。
【０１３７】
この青色光ビームＬｂ４は、図７に示した青色光ビームＬｂ２の青光路２を逆方向に辿るようにして、対物レンズ３６により平行光に変換され、無偏光ビームスプリッタ３５の面３５Ａに入射される。無偏光ビームスプリッタ３５は、反射透過面３５Ｓにおいてｐ偏光でなる青色再生光ビームＬｂ４を透過し、面３５Ｃから出射されてダイクロックプリズム３４の面３４Ａへ入射される。
【０１３８】
ダイクロックプリズム３４は、反射透過面３４Ｓにより青色光ビームＬｂ４を反射し、面３４Ｄから出射してリレーレンズ７６へ入射させる。リレーレンズ７６は、固定レンズ７８及び可動レンズ７７を順次介し、さらに液晶パネル７５を介して、青色光ビームＬｂ４を無偏光ビームスプリッタ７４の面７４Ｂへ入射させる。
【０１３９】
無偏光ビームスプリッタ７４は、青色光ビームＬｂ４を所定の割合（例えば約５０％）で反射し、面７４Ｃから出射させて集光レンズ８１へ入射させる。集光レンズ８１は、青色光ビームＬｂ４を収束させ、所定径の孔８２Ｈが設けられたピンホール板８２を介してフォトディテクタ８３へ照射させる。
【０１４０】
フォトディテクタ８３は、青色光ビームＬｂ４の光量を検出し、このとき検出した光量に応じて検出信号ＳＤ２を生成し、これを信号処理部２３（図６）へ供給するようになされている（詳しくは後述する）。なお、以下では、青色光ビームＬｂ４が辿る光路を青光路４と呼ぶ。
【０１４１】
（２−４）情報の記録及び再生
次に、光ディスク装置２０が光ディスク１００に情報を記録する場合、及び当該光ディスク１００から情報を再生する場合について、それぞれ説明する。
【０１４２】
（２−４−１）情報の記録
光ディスク装置２０の制御部２１（図６）は、光ディスク１００に情報を記録する場合、上述したように、外部機器（図示せず）等から情報記録命令、記録情報及び記録アドレス情報を受け付けると、駆動命令及び記録アドレス情報を駆動制御部２２へ供給すると共に、記録情報を信号処理部２３へ供給する。
【０１４３】
このとき駆動制御部２２は、光ピックアップ２６の位置制御光学系３０により赤色光ビームＬｒ１を光ディスク１００の面１００Ａ側から照射させ、その反射光である赤色反射光ビームＬｒ２の検出結果を基に、対物レンズ３６のフォーカス制御及びトラッキング制御（すなわち位置制御）を行うことにより、赤色光ビームＬｒ１の焦点Ｆｒを記録アドレス情報に対応した目標トラックに追従させる。
【０１４４】
また制御部２１は、リレーレンズ５８における可動レンズ５９の位置を調整することにより、青色光ビームＬｂ１の焦点Ｆｂ１（図５）の深さｄ１を調整し、当該焦点Ｆｂ１が第１目標マーク位置ＰＳ１に位置するようにする。
【０１４５】
同様に制御部２１は、リレーレンズ７６における可動レンズ７７の位置を調整することにより、青色光ビームＬｂ２の焦点Ｆｂ２（図５）の深さｄ２を調整し、当該焦点Ｆｂ２が第２目標マーク位置ＰＳ２に位置するようにする。
【０１４６】
かくして情報光学系５０は、青色光ビームＬｂ１及びＬｂ２を光ディスク１００の面１００Ａ側から照射する。このとき青色光ビームＬｂ１の焦点Ｆｂ１及び青色光ビームＬｂ２の焦点Ｆｂ２は、位置制御された対物レンズ３６によって集光されることにより、いずれも目標トラックの裏側である第１目標マーク位置ＰＳ１及び第２目標マーク位置ＰＳ２にそれぞれ位置することになる。
【０１４７】
この結果、光ピックアップ２６は、光ディスク１００の記録層１０１内における第１目標マーク位置ＰＳ１及び第２目標マーク位置ＰＳ２にそれぞれ第１記録マークＲＭ１及び第２記録マークＲＭ２を形成することができる。
【０１４８】
ところで信号処理部２３は、所定のデータ分割処理により記録情報を第１分割記録情報及び第２分割記録情報に分割し、各分割記録情報を構成するバイナリデータ（すなわち値「０」又は「１」）に対応する記録信号をそれぞれ生成して、レーザダイオード５１及び７１へそれぞれ供給するようになされている。
【０１４９】
すなわちレーザダイオード５１は、第１分割記録情報が値「０」である時には青色光ビームＬｂ１を出射せず、第１分割記録情報が値「１」である時には青色光ビームＬｂ１を出射する。同様にレーザダイオード７１は、第２分割記録情報が値「０」である時には青色光ビームＬｂ２を出射せず、第２分割記録情報が値「１」である時には青色光ビームＬｂ２を出射する。
【０１５０】
これにより光ディスク装置２０は、光ディスク１００の記録層１０１内における第１目標マーク位置ＰＳ１に対し、第１分割記録情報が値「０」である時には何ら記録せずホログラムを残し、第１分割記録情報が値「１」のときには第１記録マークＲＭ１を記録することができ、これと並行して、第２目標マーク位置ＰＳ２に対し、第２分割記録情報が値「０」である時には何ら記録せずホログラムを残し、第２分割記録情報が値「１」のときには第２記録マークＲＭ２を記録することができる。
【０１５１】
因みに制御部２１は、例えば光ディスク１００のＴＯＣ（Table of Contents）等に、情報を２つの記録マーク層に分割して記録していること（以下、これを分割記録と呼ぶ）及びマーク記録層の対応に関する情報等を管理情報として記録しておくようになされている。
【０１５２】
このように光ディスク装置２０は、光ディスク１００の記録層１０１内において目標トラックに対応する２箇所の位置、すなわち第１目標マーク位置ＰＳ１及び第２目標マーク位置ＰＳ２に対し、記録情報を分割した２系統の分割記録情報として、互いに独立した第１記録マークＲＭ１及び第２記録マークＲＭ２を同時に記録し得るようになされている。
【０１５３】
（２−４−２）情報の再生
光ディスク装置２０の制御部２１（図６）は、光ディスク１００から情報を再生する場合、光ピックアップ２６の位置制御光学系３０により赤色光ビームＬｒ１を光ディスク１００の面１００Ａ側から照射させ、その反射光である赤色反射光ビームＬｒ２の検出結果を基に、駆動制御部２２により対物レンズ３６のフォーカス制御及びトラッキング制御（すなわち位置制御）を行わせる。
【０１５４】
また制御部２１は、情報光学系５０（図７）により青色光ビームＬｂ１を光ディスク１００へ照射させる。このとき青色光ビームＬｂ１の焦点Ｆｂ１は、位置制御された対物レンズ３６によって集光されることにより、目標トラックの裏側に位置することになる。
【０１５５】
さらに制御部２１は、リレーレンズ５８における可動レンズ５９の位置を調整することにより、図５に示すように、焦点Ｆｂ１の深さｄ１を調整する。この結果、青色光ビームＬｂ１の焦点Ｆｂ１は、第１目標マーク位置ＰＳ１に合わされる。
【０１５６】
これに応じて、第１目標マーク位置ＰＳ１に第１記録マークＲＭ１が記録されていなかった場合、記録層１０１の第１目標マーク位置ＰＳ１がホログラムとして作用し、いわゆる再生光としての青色再生光ビームＬｂ３を面１００Ａ側へ発生させる。
【０１５７】
一方、第１目標マーク位置ＰＳ１に第１記録マークＲＭ１が記録されていた場合、当該第１記録マークＲＭ１の存在により記録層１０１の第１目標マーク位置ＰＳ１がホログラムとして作用しないため、第１目標マーク位置ＰＳ１からは青色再生光ビームＬｂ３が発生しない。
【０１５８】
因みに制御部２１は、信号処理部２３を介してレーザダイオード５１を制御することにより、青色光ビームＬｂ１の光量を記録時よりも低い一定の光量とし、第１記録マークＲＭ１の誤消去を防止すると共に当該第１記録マークＲＭの有無を正しく検出させ得るようになされている。
【０１５９】
そのうえ制御部２１は、情報光学系５０により、青色光ビームＬｂ１に加えて青色光ビームＬｂ２も光ディスク１００へ照射させるようになされている。このとき青色光ビームＬｂ２の焦点Ｆｂ２は、青色光ビームＬｂ１の焦点Ｆｂ１と同様、位置制御された対物レンズ３６によって集光されることにより、目標トラックの裏側に位置することになる。
【０１６０】
また制御部２１は、リレーレンズ７６における可動レンズ７７の位置を、リレーレンズ５８における可動レンズ５９の位置と独立して調整することにより、図５に示したように、焦点Ｆｂ２の深さｄ２を焦点Ｆｂ１の深さｄ１と異なる第２の目標深さに調整する。この結果、青色光ビームＬｂ２の焦点Ｆｂ２は、第２目標マーク位置ＰＳ２に合わされる。
【０１６１】
これに応じて、第２目標マーク位置ＰＳ２からは、第１目標マーク位置ＰＳ１の場合と同様、第２記録マークＲＭ２が記録されていなければ青色再生光ビームＬｂ４を面１００Ａ側へ発生させ、当該第２記録マークＲＭ２が記録されていれば当該青色再生光ビームＬｂ４を発生させない。
【０１６２】
因みに制御部２１は、信号処理部２３を介してレーザダイオード５１と同様にレーザダイオード７１を制御することにより、青色光ビームＬｂ２の光量を記録時よりも低い一定の光量とし、第２記録マークＲＭ２の誤消去を防止すると共に当該第２記録マークＲＭの有無を正しく検出させ得るようになされている。
【０１６３】
すなわち情報光学系５０は、互いの焦点Ｆｂ１及びＦｂ２を互いに異なる第１及び第２の目標マーク位置にそれぞれ合わせるよう、青色光ビームＬｂ１及びＬｂ２を同時に照射することにより、光ディスク１００の記録層１０１内における第１目標マーク位置ＰＳ１及び第２目標マーク位置ＰＳ２から、第１記録マークＲＭ１及び第２記録マークＲＭ２の有無に応じて、それぞれ青色再生光ビームＬｂ３及びＬｂ４を同時に発生させることができる。
【０１６４】
このとき情報光学系５０の対物レンズ３６は、青色再生光ビームＬｂ３及びＬｂ４を混合したまま平行光に変換し、無偏光ビームスプリッタ３５の面３５Ａへ入射させる。無偏光ビームスプリッタ３５の反射透過膜３５Ｓは、青色再生光ビームＬｂ３及びＬｂ４を混合したまま、その一部を反射して面３５Ｄから出射させ、青光路３を経て集光レンズ６１へ入射させる。
【０１６５】
集光レンズ６１は、青色再生光ビームＬｂ３及びＬｂ４を集光する。ここで図９（Ａ）に示すように、スリット６２は、青色再生光ビームＬｂ３の焦点を孔部６２Ｈ内に位置させるよう配置されているため、当該青色再生光ビームＬｂ３を通過させフォトディテクタ６３に照射させる。
【０１６６】
一方、スリット６２は、焦点が孔部６２Ｈ内に形成されない青色再生光ビームＬｂ４については、その大部分を遮断するため、当該青色再生光ビームＬｂ４を事実上フォトディテクタ６３に照射させない。
【０１６７】
この結果、フォトディテクタ６３は、青色再生光ビームＬｂ３の光量を検出し、このとき検出した光量に応じて検出信号ＳＤ１を生成し、これを信号処理部２３（図６）へ供給することができる。
【０１６８】
さらに、無偏光ビームスプリッタ３５の反射透過膜３５Ｓ（図１３）は、青色再生光ビームＬｂ３及びＬｂ４を混合したまま、その一部を透過して面３５Ｃから出射させ、青光路４を経て集光レンズ８１へ入射させる。
【０１６９】
集光レンズ８１は、青色再生光ビームＬｂ３及びＬｂ４を集光する。ここで図９（Ｂ）に示すように、スリット８２は、青色再生光ビームＬｂ４の焦点を孔部６２Ｈ内に位置させるよう配置されているため、当該青色再生光ビームＬｂ４を通過させフォトディテクタ８３に照射させる。
【０１７０】
一方、スリット８２は、焦点が孔部８２Ｈ内に形成されない青色再生光ビームＬｂ３については、その大部分を遮断するため、スリット６２と反対に、当該青色再生光ビームＬｂ３を事実上フォトディテクタ８３に照射させない。
【０１７１】
この結果、フォトディテクタ８３は、青色再生光ビームＬｂ４の光量を検出し、このとき検出した光量に応じて検出信号ＳＤ２を生成し、これを信号処理部２３（図６）へ供給することができる。
【０１７２】
因みに光ディスク装置２０は、第１目標マーク位置ＰＳ１又は第２目標マーク位置ＰＳ２に第１記録マークＲＭ１又は第２記録マークＲＭ２が記録されていた場合、第１目標マーク位置ＰＳ１又は第２目標マーク位置ＰＳ２からは青色再生光ビームＬｂ３又はＬｂ４が発生しないため、情報光学系５０により、当該青色再生光ビームＬｂ３又はＬｂ４を受光しなかったことを示す検出信号ＳＤ１又はＳＤ２を生成することになる。
【０１７３】
これに応じて信号処理部２２は、この検出信号ＳＤ１及びＳＤ２を基に、青色再生光ビームＬｂ３又はＬｂ４が検出されたか否かを値「０」又は「１」として認識し、この認識結果を基に再生情報を生成する。
【０１７４】
これにより光ディスク装置２０では、光ディスク１００の記録層１０１内の第１目標マーク位置ＰＳ１及び第２目標マーク位置ＰＳ２に第１記録マークＲＭ１又は第２記録マークＲＭ２が記録されているか否かに応じて、それぞれ情報として値「１」又は「０」のいずれが記録されているかを独立して認識することができる。
【０１７５】
このように光ピックアップ２６は、いわゆる参照光としての青色光ビームＬｂ１及びＬｂ２を、光ディスク１００の記録層１０１内における第１目標マーク位置ＰＳ１及び第２目標マーク位置ＰＳ２にそれぞれ合焦させることにより、第１記録マークＲＭ１又は第２記録マークＲＭ２が記録されていない場合に青色再生光ビームＬｂ３及びＬｂ４をそれぞれ発生させ、青光路３及び青光路４を介してフォトディテクタ６３及び８３によりそれぞれの光量を検出し、検出信号ＳＤ１及びＳＤ２を生成し得るようになされている。
【０１７６】
その後信号処理部２３は、検出信号ＳＤ１及びＳＤ２に対してそれぞれ上述した復調処理や復号化処理等の各種信号処理を施すことによりそれぞれ再生情報を生成し、これらの再生情報を制御部２１へ供給する。
【０１７７】
制御部２１は、まず光ディスク１００のＴＯＣ等に記録されている管理情報を参照し、分割記録が行われていること及びマーク記録層の対応に関する情報等を認識する。
【０１７８】
制御部２１は、光ディスク１００に分割記録が行われていた場合、所定の情報統合処理によって２種類の再生情報を一つの再生情報に統合した上で外部機器（図示せず）へ送出するようになされている。この結果、光ディスク装置２０は、青色再生光ビームＬｂ３及びＬｂ４によりそれぞれ通常の再生速度で再生するだけで、見かけ上、２倍の再生速度を得ることができる。
【０１７９】
なお光ディスク装置２０は、例えば液晶パネル７５を制御して青色光ビームＬｂ２及び青色再生光ビームＬｂ４等を遮断することにより、敢えて青色光ビームＬｂ１および青色再生光ビームＬｂ３により得られる１系統の再生情報のみを基に情報を再生するようにしても良い。
【０１８０】
（２−５）動作及び効果
以上の構成において、第１の実施の形態における光ディスク装置２０の制御部２１（図６）は、光ディスク１００に対して情報を記録する際、及び当該光ディスク１００から情報を再生する際のいずれにおいても、光ピックアップ２６の位置制御光学系３０により赤色光ビームＬｒ１の焦点Ｆｒを光ディスク１００の反射透過膜１０４（図５）における目標トラックに合焦させるよう、対物レンズ３６のフォーカス制御及びトラッキング制御を行う。
【０１８１】
さらに制御部２１は、光ディスク１００に対して情報を記録する際、青色光ビームＬｂ１及びＬｂ２を用い、リレーレンズ５８及び７６の可動レンズ５９および７７の位置を制御して当該青色光ビームＬｂ１及びＬｂ２の焦点Ｆｂ１及びＦｂ２を互いに異なる第１目標マーク位置ＰＳ１及び第２目標マーク位置ＰＳ２にそれぞれ合わせることにより（図５）、光ディスク１００の記録層１０１内に第１記録マークＲＭ１及び第２記録マークＲＭ２を互いに独立して形成する。
【０１８２】
一方、制御部２１は、光ディスク１００から情報を再生する際、リレーレンズ５８及び７６の可動レンズ５９及び７７の位置を互いに独立して制御し、２本の青色光ビームＬｂ１及びＬｂ２の焦点Ｆｂ１及びＦｂ２を互いに異なる第１目標マーク位置ＰＳ１及び第２目標マーク位置ＰＳ２にそれぞれ合わせることにより（図５）、第１記録マークＲＭ１及び第２の記録マークＲＭ２が記録されていなければ、それぞれ青色再生光ビームＬｂ３及びＬｂ４を発生させ、それぞれフォトディテクタ６３及び８３により検出する。
【０１８３】
従って光ディスク装置２０の制御部２１は、情報の記録時および再生時の双方において、光ディスク１００の目標トラックに対応し深さが互いに異なる２箇所の目標マーク位置に対して、互いに独立した２つの記録マークを同時に記録できると共に、当該２箇所の目標マーク位置から互いに独立した２系統の再生信号を得ることができる。
【０１８４】
このとき制御部２１は、情報の記録時に記録情報を第１分割記録情報及び第２分割記録情報に分割してそれぞれ第１目標マーク位置ＰＳ１及び第２目標マーク位置ＰＳ２に記録し、また情報の再生時に第１目標マーク位置ＰＳ１及び第２目標マーク位置ＰＳ２からそれぞれ得られた検出信号ＳＤ１及びＳＤ２を統合し、２倍の再生速度でなる一つの再生信号を生成することにより、見かけ上、２倍の記録速度及び２倍の再生速度を得ることができる。
【０１８５】
この結果、光ディスク装置２０は、記録層１０１における記録マークＲＭの形成にどうしても一定の時間を要することや、光ディスク１００の物理的な強度や高速回転時における面ブレ等によって光ディスク１００の回転速度に上限があること等の要因により、情報の記録速度及び再生速度の上限が必然的に定められてしまうとしても、２系統の青色光ビームＬｂ１及びＬｂ２を並行して利用することにより、見かけ上の記録速度及び再生速度を約２倍に向上させることができる。
【０１８６】
このとき光ディスク装置２０の制御部２１は、分割した記録情報を記録したマーク記録層同士の対応関係を表す管理情報を光ディスク１００のＴＯＣ等に記録しておき、再生時にこれを参照することにより、２系統の再生信号同士を正しく統合することができ、元の記録情報を再生することができる。
【０１８７】
また制御部２１は、情報が分割記録されていない場合であっても、本来読み出すべき情報を青色光ビームＬｂ１により読み出し、これと並行して、今後読み出す可能性が高い他のマーク記録層から青色光ビームＬｂ２を用い検出信号ＳＤ２を得て内蔵のＲＡＭ等に蓄えておくことにより、いわゆる先読みキャッシュとして作用させることもできる。
【０１８８】
以上の構成によれば、第１の実施の形態における光ディスク装置２０の制御部２１は、光ピックアップ２６の位置制御光学系３０により赤色光ビームＬｒ１の焦点Ｆｒを光ディスク１００の反射透過膜１０４における目標トラックに合焦させるよう、対物レンズ３６のフォーカス制御及びトラッキング制御を行い、光ディスク１００に対して情報を記録する際、記録情報を分割し、各分割記録情報に基づいた青色光ビームＬｂ１及びＬｂ２の焦点Ｆｂ１及びＦｂ２を互いに異なる第１目標マーク位置ＰＳ１及び第２目標マーク位置ＰＳ２にそれぞれ合わせ、第１記録マークＲＭ１及び第２記録マークＲＭ２を互いに独立して形成し、光ディスク１００から情報を再生する際、２本の青色光ビームＬｂ１及びＬｂ２の焦点Ｆｂ１及びＦｂ２を互いに異なる第１目標マーク位置ＰＳ１及び第２目標マーク位置ＰＳ２にそれぞれ合わせ、第１記録マークＲＭ１及び第２の記録マークＲＭ２の有無に応じて発生する青色再生光ビームＬｂ３及びＬｂ４を元に得られる再生信号を統合することにより、記録速度及び再生速度をいずれも高速化することができる。
【０１８９】
（３）第２の実施の形態
（３−１）光ディスクの構成
第２の実施の形態においては、第１の実施の形態と同様、光ディスク１００（図４及び図５）に対して情報を記録し、また記録された情報を再生するようになされているため、その説明は省略する。
【０１９０】
（３−２）光ディスク装置の構成
次に、第２の実施の形態における光ディスク装置１２０について説明する。光ディスク装置１２０は、図６に示した光ディスク装置２０と対応した構成を有しており、制御部２１に対応する制御部１２１、光ピックアップ２６に対応する光ピックアップ１２６を有している点が異なっているものの、他は同様に構成されている。
【０１９１】
制御部１２１は、第１の実施の形態における制御部２１と同様、図示しないＣＰＵを中心に構成されており、図示しないＲＯＭから基本プログラムや情報記録プログラム等の各種プログラムを読み出し、これらを図示しないＲＡＭに展開することにより、情報記録処理や情報再生処理等の各種処理を実行するようになされている。
【０１９２】
この結果光ディスク装置１２０は、第１の実施の形態における光ディスク装置２０と同様、制御部１２１によって光ピックアップ１２６を制御することにより、光ディスク１００の記録層１０１における目標トラックに情報を記録し、また当該目標トラックから情報を再生するようになされている。
【０１９３】
（３−３）光ピックアップの構成
次に、光ピックアップ１２６の構成を、図７との対応部分に同一符号を付した図１０に模式的に示す。この光ピックアップ１２６は、光ピックアップ２６と同様、多数の光学部品が設けられており、大きく分けて位置制御光学系３０及び情報光学系９０により構成されている。
【０１９４】
（３−３−１）位置制御光学系の構成
第２の実施の形態における位置制御光学系３０は、第１の実施の形態における光ピックアップ２６の位置制御光学系３０と同様に構成されているため、その説明は省略する。
【０１９５】
（３−３−２）情報光学系の構成
一方、第２の実施の形態における情報光学系９０は、第１の実施の形態における情報光学系５０（図７）と比較して、レーザダイオード５１及びコリメータレンズ５２等が省略され、レーザダイオード７１から照射される１本の青色光ビームを分配して２本の青色光ビームＬｂ１及びＬｂ２とする点が大きく異なるものの、他は同様に構成されている。
【０１９６】
すなわち情報光学系９０において、レーザダイオード７１は、波長約４０５［ｎｍ］の青色レーザ光を射出し得るようになされている。実際上レーザダイオード７１は、制御部１２１（図６）の制御に基づいて発散光でなる青色光ビームＬｂ０を射出し、コリメータレンズ７２へ入射させる。因みに青色光ビームＬｂ０は、例えばｐ偏光でなる。
【０１９７】
コリメータレンズ７２は、青色光ビームＬｂ０を発散光から平行光に変換し、１／２波長板７３へ入射させる。１／２波長板７３は、青色光ビームＬｂ０の偏光方向を回転させることにより、例えばｐ偏光成分を約５０％、ｓ偏光成分を約５０％として、偏光ビームスプリッタ９１の面９１Ｄへ入射させる。
【０１９８】
偏光ビームスプリッタ９１は、反射透過面９１Ｓにおいて、光ビームの偏光方向により異なる割合で当該光ビームを反射又は透過するようになされている。例えば反射透過面９１Ｓは、ｐ偏光の光ビームをほぼ全て反射し、ｓ偏光の光ビームをほぼ全て透過するようになされている。
【０１９９】
実際上偏光ビームスプリッタ９１は、図１０と対応する図１１に示すように、反射透過面９１Ｓにおいて青色光ビームＬｂ０のうちｐ偏光成分を反射して青色光ビームＬｂ１とし、これを面９１Ａからミラー９２へ照射して反射させた上で、無偏光ビームスプリッタ５４の面５４Ｄへ入射させる。
【０２００】
その後情報光学系９０は、第１の実施の形態と同様の青光路１を経由することにより、青色光ビームＬｂ１の焦点Ｆｂ１を光ディスク１００の記録層１０１内における第１目標マーク位置ＰＳ１に合焦させ、第１記録マークＲＭ１を形成し得るようになされている。
【０２０１】
また偏光ビームスプリッタ９１は、図１０と対応する図１２に示すように、反射透過面９１Ｓにおいて青色光ビームＬｂ０のうちｓ偏光成分を透過して青色光ビームＬｂ２とし、これを面９１Ｂから無偏光ビームスプリッタ７４の面７４Ｄへ入射させる。
【０２０２】
その後情報光学系９０は、第１の実施の形態と同様の青光路２を経由することにより、青色光ビームＬｂ２の焦点Ｆｂ２を光ディスク１００の記録層１０１内における第２目標マーク位置ＰＳ２に合焦させ、第２記録マークＲＭ２を形成し得るようになされている。
【０２０３】
さらに情報光学系９０は、青色再生光ビームＬｂ３及びＬｂ４についても、第１の実施の形態と同様に、青光路３及び青光路４を経由させ、フォトディテクタ６３及び８３においてそれぞれ検出することにより、検出信号ＳＤ１及びＳＤ２を生成し得るようになされている。
【０２０４】
（３−４）情報の記録及び再生
次に、光ディスク装置１２０が光ディスク１００に情報を記録する場合、及び当該光ディスク１００から情報を再生する場合について、それぞれ説明する。
【０２０５】
（３−４−１）情報の記録
光ディスク装置１２０の制御部１２１（図６）は、光ディスク１００に情報を記録する場合、上述したように、外部機器（図示せず）等から情報記録命令、記録情報及び記録アドレス情報を受け付けると、駆動命令及び記録アドレス情報を駆動制御部２２へ供給すると共に、記録情報を信号処理部２３へ供給する。
【０２０６】
このとき駆動制御部２２は、光ピックアップ２６の位置制御光学系３０により赤色光ビームＬｒ１を記録アドレス情報に対応した目標トラックに追従させるよう、対物レンズ３６のフォーカス制御及びトラッキング制御（すなわち位置制御）を行う。
【０２０７】
また制御部１２１は、リレーレンズ５８及び７６における可動レンズ５９及び７７の位置を調整することにより、青色光ビームＬｂ１の焦点Ｆｂ１及び青色光ビームＬｂ２の焦点Ｆｂ２を、いずれも目標トラックの裏側である第１目標マーク位置ＰＳ１及び第２目標マーク位置ＰＳ２にそれぞれ位置させることができる。
【０２０８】
この結果、光ピックアップ１２６は、光ディスク１００の記録層１０１内における第１目標マーク位置ＰＳ１及び第２目標マーク位置ＰＳ２にそれぞれ第１記録マークＲＭ１及び第２記録マークＲＭ２を形成することができる。
【０２０９】
ところで第２の実施の形態における光ピックアップ１２６は、１つのレーザダイオード７１から出射される青色光ビームＬｂ０を分配することにより青色光ビームＬｂ１及びＬｂ２を生成しているため、第１の実施の形態における光ピックアップ２６と異なり、当該青色光ビームＬｂ１及びＬｂ２の光量等を独立して制御することができない。
【０２１０】
このため信号処理部２３は、記録情報を分割することなくそのまま用いて記録信号を生成し、これをレーザダイオード７１へ供給するようになされている。
【０２１１】
この結果光ディスク装置１２０は、光ディスク１００の記録層１０１に対して、第１目標マーク位置ＰＳ１及び第２目標マーク位置ＰＳ２にそれぞれ形成する第１記録マークＲＭ１及び第２記録マークＲＭ２により、同一の情報を重複して記録することになる。
【０２１２】
ここで図１３に示すように、光ディスク装置１２０が光ディスク１００に情報を記録する際、光ディスク１００の記録層１０１内には、例えば１０層のマーク記録層が形成され得るようになされている。
【０２１３】
なお、説明の便宜上、反射透過膜１０４に近い方から順に第１マスタレイヤＹＳ１、第２マスタレイヤＹＳ２、…、及び第５マスタレイヤＹＳ５、並びに第１ミラーレイヤＹＲ１、第２ミラーレイヤＹＲ２、…、及び第５ミラーレイヤＹＲ５と呼ぶ。
【０２１４】
実際上、光ディスク装置１２０の制御部１２１は、第１マスタレイヤＹＳ１と第１ミラーレイヤＹＲ１、第２マスタレイヤＹＳ２と第２ミラーレイヤＹＲ２、…、及び第５マスタレイヤＹＳ５と第５ミラーレイヤＹＳ５とを、それぞれ対応付けるようになされている。すなわち制御部１２１は、互いに対応するマスタレイヤＹＳ及びミラーレイヤＹＲに同一の情報を記録する、いわゆるミラーリング記録を行うようになされている。
【０２１５】
これにより光ディスク装置１２０は、光ディスク１００の記録層１０１内における第１目標マーク位置ＰＳ１及び第２目標マーク位置ＰＳ２の双方に対し、記録情報が値「０」である時には何ら記録せずホログラムを残し、当該記録情報が値「１」のときには第１記録マークＲＭ１及び第２記録マークＲＭ２をそれぞれ記録することができる。
【０２１６】
この場合、制御部１２１は、例えば光ディスク１００のＴＯＣ（Table of Contents）等に、ミラーリング記録を行っていること及びマーク記録層の対応に関する情報等を管理情報として記録しておくようになされている。
【０２１７】
このように光ディスク装置１２０の制御部１２１は、は、光ディスク１００の記録層１０１内において目標トラックに対応する２箇所の位置、すなわち第１目標マーク位置ＰＳ１及び第２目標マーク位置ＰＳ２に対して、同一の情報を表す第１記録マークＲＭ１及び第２記録マークＲＭ２を同時に記録し得るようになされている。
【０２１８】
因みに光ディスク装置１２０の制御部１２１は、例えば液晶パネル７５を制御して青色光ビームＬｂ２を遮断し、当該青色光ビームＬｂ２を光ディスク１００に照射させないことにより、ミラーリング記録を行わず、第１目標マーク位置ＰＳ１にのみ第１記録マークＲＭ１を記録し得るようにもなされている。
【０２１９】
（３−４−２）情報の再生
光ディスク装置１２０の制御部１２１（図６）は、光ディスク１００から情報を再生する場合、第１の実施の形態における光ディスク装置２０の場合と同様、赤色光ビームＬｒ１を目標トラックに追従させるよう対物レンズ３６のフォーカス制御及びトラッキング制御（すなわち位置制御）を行わせ、青色光ビームＬｂ１の焦点Ｆｂ１及び青色光ビームＬｂ２の焦点Ｆｂ２を、互いに異なる第１目標マーク位置ＰＳ１及び第２目標マーク位置ＰＳ２にそれぞれ合わせて照射する。
【０２２０】
これにより制御部１２１は、光ディスク１００の記録層１０１内における第１目標マーク位置ＰＳ１及び第２目標マーク位置ＰＳ２から、第１記録マークＲＭ１及び第２記録マークＲＭ２の有無に応じて、それぞれ青色再生光ビームＬｂ３及びＬｂ４を同時に発生させることができる。
【０２２１】
このとき情報光学系９０では、第１の実施の形態における情報光学系５０と同様、ピンホール板６２及び８２（図９（Ａ）及び（Ｂ））の作用により、青色再生光ビームＬｂ３及びＬｂ４を選別した上で検出信号ＳＤ１及びＳＤ２を生成することができる。
【０２２２】
これに応じて信号処理部２２は、この検出信号ＳＤ１及びＳＤ２を基に、青色再生光ビームＬｂ３又はＬｂ４が検出されたか否かを値「０」又は「１」として認識し、この認識結果を基に２系統の再生情報を生成し、制御部１２１へ供給する。
【０２２３】
制御部１２１は、まず光ディスク１００のＴＯＣ等に記録されている管理情報を基に、ミラーリング記録がされているか、或いは第１の実施の形態のように分割記録がされているか等を確認する。
【０２２４】
制御部１２１は、光ディスク１００にミラーリング記録が行われていた場合、青色光ビームＬｂ１及びＬｂ２の焦点Ｆｂ１及びＦｂ２を互いに対応するマスタレイヤＹＳ及びミラーレイヤＹＲにそれぞれ合わせて検出信号ＳＤ１及びＳＤ２を生成し、所定の比較訂正処理により２種類の再生情報を比較し、必要に応じて所定のエラー訂正処理等を施すことにより最終的な再生情報を生成し、これを外部機器（図示せず）へ送出するようになされている。この場合、光ディスク装置２０における再生速度は、通常通りの再生速度となる。
【０２２５】
一方、制御部１２１は、光ディスク１００に分割記録が行われていた場合、青色光ビームＬｂ１及びＬｂ２の焦点Ｆｂ１及びＦｂ２を互いに対応するマーク記録層にそれぞれ合わせて検出信号ＳＤ１及びＳＤ２を生成し、第１の実施の形態と同様、所定の情報統合処理によって２種類の再生情報を一つの再生情報に統合した上で外部機器（図示せず）へ送出するようになされている。この結果、光ディスク装置１２０は、第１の実施の形態における光ディスク装置２０と同様、青色再生光ビームＬｂ３及びＬｂ４によりそれぞれ通常の再生速度で再生するだけで、見かけ上、２倍の再生速度を得ることができる。
【０２２６】
このように光ディスク装置１２０の制御部１２１は、青色光ビームＬｂ１及びＬｂ２の焦点Ｆｂ１及びＦｂ２をそれぞれ第１目標マーク位置ＰＳ１及び第２目標マーク位置ＰＳ２に合わせて照射することにより、第１記録マークＲＭ１及び第２記録マークＲＭ２の有無に応じて発生する青色再生光ビームＬｂ３及びＬｂ４を検出して検出信号ＳＤ１及びＳＤ２を生成し、これらを元に最終的な再生情報を出力し得るようになされている。
【０２２７】
なお光ディスク装置１２０は、例えば液晶パネル７５を制御して青色光ビームＬｂ２及び青色再生光ビームＬｂ４等を遮断することにより、敢えて青色光ビームＬｂ１および青色再生光ビームＬｂ３により得られる１系統の再生情報のみを基に情報を再生するようにしても良い。
【０２２８】
（３−５）動作及び効果
以上の構成において、第２の実施の形態における光ディスク装置１２０の制御部１２１（図６）は、光ディスク１００に対して情報を記録する際、及び当該光ディスク１００から情報を再生する際のいずれにおいても、光ピックアップ１２６の位置制御光学系３０により赤色光ビームＬｒ１の焦点Ｆｒを光ディスク１００の反射透過膜１０４（図５）における目標トラックに合焦させるよう、対物レンズ３６のフォーカス制御及びトラッキング制御を行う。
【０２２９】
さらに制御部１２１は、光ディスク１００に対して情報を記録する際、青色光ビームＬｂ０を分配してなる青色光ビームＬｂ１及びＬｂ２を用い、リレーレンズ５８及び７６の可動レンズ５９および７７の位置を制御して当該青色光ビームＬｂ１及びＬｂ２の焦点Ｆｂ１及びＦｂ２を互いに異なるマスタレイヤＹＳ及びミラーレイヤＹＲにそれぞれ合わせることにより（図５）、光ディスク１００の記録層１０１内に互いに同一の情報を表す第１記録マークＲＭ１及び第２記録マークＲＭ２を形成する。
【０２３０】
一方、制御部１２１は、ミラーリング記録された光ディスク１００から情報を再生する際、リレーレンズ５８及び７６の可動レンズ５９及び７７の位置をそれぞれ制御し、２本の青色光ビームＬｂ１及びＬｂ２の焦点Ｆｂ１及びＦｂ２を互いに対応するマスタレイヤＹＳ及びミラーレイヤＹＲにそれぞれ合わせることにより、第１記録マークＲＭ１及び第２の記録マークＲＭ２の有無に応じて発生する青色再生光ビームＬｂ３及びＬｂ４をそれぞれ検出して検出信号ＳＤ１及びＳＤ２を生成し、所定の比較訂正処理により最終的な再生情報を生成する。
【０２３１】
従って光ディスク装置１２０の制御部１２１は、光ディスク１００から情報を再生する際、第１の実施の形態と同様、光ディスク１００の目標トラックに対応し深さが互いに異なる２箇所の目標マーク位置から、互いに独立した２系統の再生信号を得ることができる。
【０２３２】
一方光ディスク装置１２０の制御部１２１は、光ディスク１００に対して情報を記録する際、第１の実施の形態とは異なり、光ディスク１００の目標トラックに対応し深さが互いに異なるマスタレイヤＹＳ及びミラーレイヤＹＲにおける２箇所の目標マーク位置に対して、同一の情報を表す記録マークＲＭを記録することができる。
【０２３３】
このため制御部１２１は、光ディスク１００の記録層１０１内おいて互いに対応するマスタレイヤＹＳ及びミラーレイヤＹＲを用いて情報の冗長性を高めたミラーリング記録を行うことができ、再生情報の品質を高めることができる。
【０２３４】
すなわち制御部１２１は、例えばマスタレイヤＹＳ又はミラーレイヤＹＲのいずれか一方におけるホログラム（すなわちフォーマットされた状態）や記録マークＲＭ等が何らかの要因により破壊され、或いはディスク１００のディフェクト等の存在により、検出信号ＳＤ１又はＳＤ２が異常な再生情報を表すものであったとしても、比較訂正処理において正しい情報に訂正できる可能性が高い。
【０２３５】
このとき制御部１２１は、情報の記録時に対応するマーク記録層同士の対応関係を表す管理情報を光ディスク１００のＴＯＣ等に記録しておき、再生時にこれを参照することにより、２系統の再生信号同士を正しく対応させることができ、元の記録情報を得ることができる。
【０２３６】
また制御部１２１は、第１の実施の形態のように光ディスク１００に対して情報が分割記録されていた場合には、第１の実施の形態と同様、２系統の再生情報を得てこれらを統合することにより、２倍の再生速度を得ることができる。
【０２３７】
さらに制御部１２１は、情報が分割記録されていない場合であっても、第１の実施の形態と同様、本来読み出すべき情報を青色光ビームＬｂ１により読み出し、これと並行して、今後読み出す可能性が高い他のマーク記録層から青色光ビームＬｂ２を用い検出信号ＳＤ２を得て内蔵のＲＡＭ等に蓄えておくことにより、いわゆる先読みキャッシュとして作用させることもできる。
【０２３８】
以上の構成によれば、第２の実施の形態における光ディスク装置１２０の制御部１２１は、赤色光ビームＬｒ１の焦点Ｆｒを光ディスク１００の反射透過膜１０４における目標トラックに合焦させるよう、対物レンズ３６のフォーカス制御及びトラッキング制御を行い、光ディスク１００に対して情報を記録する際、目標トラックからの深さが互いに異なるマスタレイヤＹＳ及びミラーレイヤＹＲにおける２箇所の目標マーク位置に対して、互いに同一の情報を表す第１記録マークＲＭ１及び第２記録マークＲＭ２を形成するミラーリング記録を行い、情報を再生する際、青色光ビームＬｂ１及びＬｂ２の焦点Ｆｂ１及びＦｂ２を互いに対応するマスタレイヤＹＳ及びミラーレイヤＹＲにそれぞれ合わせることにより、第１記録マークＲＭ１及び第２の記録マークＲＭ２の有無に応じて発生する青色再生光ビームＬｂ３及びＬｂ４をそれぞれ検出して検出信号ＳＤ１及びＳＤ２を生成し、所定の比較訂正処理により最終的な再生情報を生成することにより、再生情報の品質を高めることができ、また記録情報が分割記録されていた場合には、再生速度を高速化することもできる。
【０２３９】
（４）第３の実施の形態
（４−１）光ディスクの構成
第３の実施の形態では、第１及び第２の実施の形態における光ディスク１００に代えて、光ディスク２００に対して情報を記録し、また当該光ディスク２００から情報を再生するようになされている。
【０２４０】
この光ディスク２００は、第１及び第２の実施の形態における光ディスク１００（図６）と同様の外観構成を有しているものの、その内部構成は当該光ディスク１００と一部異なっている。
【０２４１】
すなわち図５との対応部分に同一符号を付した図１４に示すように、光ディスク２００は、第１及び第２の実施の形態における反射透過膜１０４に代えて、反射透過膜２０４を有している。
【０２４２】
この反射透過膜２０４は、反射透過膜１０４と同様に螺旋状のトラックが形成されている一方、反射透過膜１０４と異なり、青色光ビームＬｂのうち所定の割合（例えば約１０％）を反射すると共に残り（例えば約９０％）を透過するような材料で構成されている。
【０２４３】
かかる構成により、光ディスク２００は、情報が記録される際、光ディスク１００と比較して反射透過膜２０４における青色光ビームＬｂ１及びＬｂ２の透過率を一部低下させるものの、当該青色光ビームＬｂ１及びＬｂ２により第１記録マークＲＭ１及び第２記録マークＲＭ２をほぼ同様に記録するようになされている。
【０２４４】
また光ディスク２００は、情報が再生される際、光ディスク１００と同様に、青色光ビームＬｂ１及びＬｂ２の焦点Ｆｂ１及びＦｂ２が第１目標マーク位置ＰＳ１及び第２目標マーク位置ＰＳ２にそれぞれ位置するとき、当該第１目標マーク位置ＰＳ１及び第２目標マーク位置ＰＳ２に第１記録マークＲＭ１及び第２記録マークＲＭ２が形成されていなければ、それぞれ青色再生光ビームＬｂ３及びＬｂ４を発生させる。
【０２４５】
このとき光ディスク２００は、光ディスク１００と比較して反射透過膜２０４における青色再生光ビームＬｂ３及びＬｂ４の透過率についても一部低下させるものの、当該青色再生光ビームＬｂ３及びＬｂ４を面２００Ａ側から発散光として出射させるようになされている。
【０２４６】
このように光ディスク２００は、第１の実施の形態における光ディスク１００と異なり、情報が記録される場合及び情報が再生される場合のいずれにおいても、位置制御用及び情報記録用の双方に青色光ビームが用いられるようになされている。
【０２４７】
（４−２）光ディスク装置の構成
次に、上述した光ディスク２００に対応した光ディスク装置２２０について説明する。光ディスク装置２２０は、図６に示した第１の実施の形態における光ディスク装置２０と比較して、制御部２１に代えて制御部２２１を有し、光ピックアップ２６に代えて光ピックアップ２２６を有している点が異なるものの、他はほぼ同様に構成されている。
【０２４８】
制御部２２１は、制御部２１と同様、図示しないＣＰＵを中心に構成されており、図示しないＲＯＭから基本プログラムや情報記録プログラム等の各種プログラムを読み出し、これらを図示しないＲＡＭに展開することにより、情報記録処理等の各種処理を実行するようになされている。
【０２４９】
また光ディスク装置２２０は、第１の実施の形態における光ディスク装置２０と同様、制御部２２１によって光ピックアップ２２６を制御することにより、光ディスク２００の記録層１０１における目標トラックに対応する位置に情報を記録し、また当該目標トラックに対応する位置から情報を再生するようになされている。
【０２５０】
（４−３）光ピックアップの構成
次に、光ピックアップ２２６の構成について説明する。光ピックアップ２２６は、図７との対応部分に同一符号を付した図１５に示すように、光ピックアップ２６におけるレーザダイオード３１やフォトディテクタ３９等といった一部の光学部品に代えて、偏光ビームスプリッタ２３１及びフォトディテクタ２３９等を有している。
【０２５１】
すなわち光ピックアップ２２６は、光ピックアップ２６と比較して、位置制御光学系３０が省略され、これに代えて青色光ビームを用いたフォーカス制御やトラッキング制御を行う位置制御光学系２３０（図１６）を有しており、また情報光学系５０と対応する情報光学系２５０（図１７）を有している。
【０２５２】
（４−３−１）位置制御光学系の構成
図１５と対応する図１６において、レーザダイオード７１は、制御部２２１（図６）の制御に基づいて発散光でなる青色光ビームＬｂ０を射出し、コリメータレンズ７２へ入射させる。コリメータレンズ７２は、青色光ビームＬｂ０を発散光から平行光に変換し、１／２波長板５３へ入射させる。
【０２５３】
青色光ビームＬｂ０は、１／２波長板５３によって偏光方向が所定角度回転されることにより、例えばｐ偏光成分が約５０％、ｓ偏光成分が約５０％となされ、偏光ビームスプリッタ２３１の面２３１Ｄに入射される。
【０２５４】
偏光ビームスプリッタ２３１は、反射透過面２３１Ｓにおいて、光ビームの偏光方向により当該光ビームを反射又は透過するようになされている。例えば反射透過面２３１Ｓは、ｓ偏光の光ビームをほぼ全て反射し、ｐ偏光の光ビームをほぼ全て透過するようになされている。
【０２５５】
実際上偏光ビームスプリッタ２３１は、反射透過面２３１Ｓにおいて青色光ビームＬｂ０のうちｓ偏光成分を反射して青色光ビームＬｂ１１とし、これを面２３１Ｃから出射して偏光ビームスプリッタ２３２へ入射させる。
【０２５６】
偏光ビームスプリッタ２３２は、偏光ビームスプリッタ２３１と同様、反射透過面２３２Ｓにおいてｓ偏光の光ビームをほぼ全て反射し、ｐ偏光の光ビームをほぼ全て透過するようになされている。このため偏光ビームスプリッタ２３２は、反射透過面２３２において青色光ビームＬｂ１１を反射し、面２３２Ｂから出射させてミラー２３３においてさらに反射させた上で、無偏光ビームスプリッタ２３４の面２３４Ｃへ入射させる。
【０２５７】
無偏光ビームスプリッタ２３４は、反射透過面２３４Ｓにおいて青色光ビームＬｂ１１を所定の割合（例えば約２０％）で透過させ、面２３４Ａから出射させ、無偏光ビームスプリッタ２３５の面２３５Ｃへ入射させる。無偏光ビームスプリッタ２３５は、反射透過面２３５Ｓにおいて青色光ビームＬｂ１１を所定の割合（例えば約５０％）で透過させ、面２３５Ａから出射させ１／４波長板２３６へ入射させる。
【０２５８】
１／４波長板は、光ビームを直線偏光及び円偏光の間で相互変換するようになされており、この場合は青色光ビームＬｂ１１を例えばｓ偏光から左円偏光に変換した上で、対物レンズ３６へ入射させる。
【０２５９】
対物レンズ３６は、第１の実施の形態における赤色光ビームＬｒ１と同様に、青色光ビームＬｂ１１を集光し、光ディスク２００の面２００Ａへ向けて照射する。このとき青色光ビームＬｂ１１は、図１４に示したように、基板１０２を透過し反射透過膜２０４において所定の割合（例えば約１０％）が反射され、青色光ビームＬｂ１１と反対方向へ向かう青色光ビームＬｂ１２となる。このとき円偏光の回転方向が反転されるため、左円偏光である青色光ビームＬｂ１１に対して、青色光ビームＬｂ１２は右円偏光となる。
【０２６０】
この後、青色光ビームＬｂ１２は、対物レンズ３６により平行光に変換され、１／４波長板２３６へ入射される。１／４波長板２３６は、青色光ビームＬｂ１２を右円偏光からｐ偏光でなる直線偏光に変換し、無偏光ビームスプリッタ２３５の面２３５Ａへ入射させる。
【０２６１】
その後青色光ビームＬｂ１２は、無偏光ビームスプリッタ３５及び無偏光ビームスプリッタ２３４を順次透過し、ミラー２３３により反射された後、偏光ビームスプリッタ２３２の面２３２Ｂへ入射される。
【０２６２】
偏光ビームスプリッタ２３２は、ｐ偏光でなる青色光ビームＬｂ１２を透過して面２３２Ｄから出射させ、集光レンズ２３７へ入射させる。集光レンズ２３７は、青色光ビームＬｂ１２を収束させ、シリンドリカルレンズ２３８により非点収差を持たせた上で当該青色光ビームＬｂ１２をフォトディテクタ２３９へ照射する。
【０２６３】
フォトディテクタ２３９は、第１の実施の形態におけるフォトディテクタ３９と同様に検出領域（図示せず）が４分割されており、当該フォトディテクタ３９と同様に４種類の検出信号ＳＤＡｃ、ＳＤＢｃ、ＳＤＣｃ及びＳＤＤｃをそれぞれ生成して、これらを信号処理部２３（図６）へ送出する。
【０２６４】
これに応じて信号処理部２３は、第１の実施の形態と同様のフォーカスエラー信号ＳＦＥｃ及びトラッキングエラー信号ＳＴＥｃを生成し、これらを駆動制御部２２へ供給する。
【０２６５】
駆動制御部２２は、フォーカスエラー信号ＳＦＥｃを基に、青色光ビームＬｂ１１が光ディスク２００の反射透過膜２０４に合焦するよう対物レンズ３６をフィードバック制御（すなわちフォーカス制御）する。
【０２６６】
また駆動制御部２２は、トラッキングエラー信号ＳＴＥｒを基に、青色光ビームＬｂ１１が光ディスク２００の反射透過膜２０４における目標トラックに合焦するよう、対物レンズ３６をフィードバック制御（すなわちトラッキング制御）する。
【０２６７】
このように位置制御光学系２３０は、第１の実施の形態における赤色光ビームＬｒ１に代えて青色光ビームＬｂ１１を用い、これを光ディスク２００の反射透過膜２０４に照射し、その反射光である青色光ビームＬｂ１２の受光結果を信号処理部２３へ供給するようになされている。これに応じて駆動制御部２２は、当該青色光ビームＬｂ１１を当該反射透過膜２０４の目標トラックに合焦させるよう、対物レンズ３６のフォーカス制御及びトラッキング制御を行うようになされている。
【０２６８】
（４−３−２）情報光学系の構成
図１５と対応する図１７に示すように、第２の実施の形態における情報光学系２５０は、第１の実施の形態における情報光学系５０（図７）と対応した構成を有している。
【０２６９】
（４−３−２−１）青色光ビームの光路（１）
第１の実施の形態と同様、レーザダイオード５１は、波長約４０５［ｎｍ］の青色レーザ光を射出し得るようになされている。実際上レーザダイオード５１は、制御部２２１（図６）の制御に基づいて発散光でなる青色光ビームＬｂ１を射出し、コリメータレンズ５２へ入射させる。因みに青色光ビームＬｂ１は、例えばｓ偏光でなる。
【０２７０】
コリメータレンズ５２は、青色光ビームＬｂ１を発散光から平行光に変換し、偏光ビームスプリッタ２５４へ入射させる。偏光ビームスプリッタ２５４は、反射透過面２５４Ｓにおいて、光ビームの偏光方向により当該光ビームを反射又は透過するようになされており、例えばｐ偏光の光ビームをほぼ全て反射し、ｓ偏光の光ビームをほぼ全て透過するようになされている。
【０２７１】
実際上偏光ビームスプリッタ２５４は、反射透過面２５４Ｓにおいてｐ偏光でなる青色光ビームＬｂ１を透過し、面２５４Ｂから出射して液晶パネル５７へ入射させる。液晶パネル５７は、第１の実施の形態と同様、青色光ビームＬｂ１の球面収差や光ディスク１００の傾きに起因するコマ収差等を補正し、リレーレンズ５８へ入射させる。
【０２７２】
リレーレンズ５８は、第１の実施の形態と同様、可動レンズ５９により青色光ビームＬｂ１を平行光から収束光に変換し、収束後に発散光となった当該青色光ビームＬｂ１を固定レンズ６０により再度収束光に変換して、無偏光ビームスプリッタ２３５の面２３５Ｄへ入射させる。
【０２７３】
無偏光ビームスプリッタ２３５は、反射透過面３５Ｓにおいて青色光ビームＬｂ１を所定の割合（例えば約５０％）で反射し、１／４波長板２３６へ入射させる。１／４波長板２３６は、例えばｓ偏光でなる青色光ビームＬｂ１を左円偏光に変換し、対物レンズ３６へ入射させる。対物レンズ３６は、青色光ビームＬｂ１を集光し、光ディスク１００の面１００Ａへ照射する。
【０２７４】
このとき青色光ビームＬｂ１は、図１４に示したように、基板１０２及び反射透過膜２０４を透過し、記録層１０１内において可動レンズ５９の位置に応じた位置、すなわち第１目標マーク位置ＰＳ１に焦点Ｆｂ１を位置させる。なお、以下では、青色光ビームＬｂ１が辿る光路を青光路１と呼ぶ。
【０２７５】
（４−３−２−２）青色光ビームの光路（２）
一方、偏光ビームスプリッタ２３１は、レーザダイオード７１から出射された青色光ビームＬｂ０のうちｐ偏光成分を反射透過面２３１Ｓにより透過して青色光ビームＬｂ２とし、これを面２３１Ｂから出射させ、偏光ビームスプリッタ２７４の面２７４Ｄへ入射させる。
【０２７６】
偏光ビームスプリッタ２７４は、偏光ビームスプリッタ２５４と同様、反射透過面２７４Ｓにおいてｐ偏光でなる青色光ビームＬｂ２を透過し、面２７４Ｂから出射して液晶パネル７５へ入射させる。
【０２７７】
液晶パネル７５は、第１の実施の形態と同様、青色光ビームＬｂ２の球面収差や光ディスク１００の傾きに起因するコマ収差等を補正し、リレーレンズ７６へ入射させる。
【０２７８】
リレーレンズ７６は、第１の実施の形態と同様、可動レンズ７７により青色光ビームＬｂ２を平行光から収束光に変換し、収束後に発散光となった当該青色光ビームＬｂ２を固定レンズ７８により再度収束光に変換して、無偏光ビームスプリッタ２３４の面２３４Ｄへ入射させる。
【０２７９】
無偏光ビームスプリッタ２３４は、反射透過面２３４Ｓにおいて青色光ビームＬｂ２を所定の割合（例えば約５０％）で反射し、面２３４Ａから出射させて無偏光ビームスプリッタ２３５の面２３５Ｃへ入射させる。無偏光ビームスプリッタ２３５は、反射透過面２３５Ｓにおいて青色光ビームＬｂ２を所定の割合（例えば約５０％）で透過し、１／４波長板２３６へ入射させる。
【０２８０】
１／４波長板２３６は、例えばｐ偏光でなる青色光ビームＬｂ２を右円偏光に変換し、対物レンズ３６へ入射させる。対物レンズ３６は、青色光ビームＬｂ２を集光し、光ディスク１００の面１００Ａへ照射する。
【０２８１】
このとき青色光ビームＬｂ２は、図１４に示したように、基板１０２及び反射透過膜２０４を透過し、記録層１０１内において可動レンズ７７の位置に応じた位置、すなわち第２目標マーク位置ＰＳ２に焦点Ｆｂ２を位置させる。なお、以下では、青色光ビームＬｂ２が辿る光路を青光路２と呼ぶ。
【０２８２】
（４−３−２−３）青色光ビームの光路（３）
ところで光ディスク２００（図１４）は、上述したように、青色光ビームＬｂ１が照射された際、記録層１０１における焦点Ｆｂ１の位置（すなわち第１目標マーク位置ＰＳ１）に第１記録マークＲＭが記録されていなかった場合、ホログラムとしての性質を呈するため、青色再生光ビームＬｂ３を発生する。このとき青色再生光ビームＬｂ３は、例えば青色光ビームＬｂ１と反対の右円偏光となる。
【０２８３】
この青色再生光ビームＬｂ３は、１／４波長板２３６（図１７）により右円偏光からｐ偏光に変換され、青光路１を逆方向へ辿るように進み、無偏光ビームスプリッタ２３５の面２３５Ａへ入射される。無偏光ビームスプリッタ２３５は、反射透過面２３５Ｓにおいて青色再生光ビームＬｂ３を所定の割合（例えば約５０％）で反射し、リレーレンズ５８へ入射させる。
【０２８４】
リレーレンズ５８は、青色再生光ビームＬｂ３を固定レンズ６０及び可動レンズ５９の順に透過させ、液晶パネル５７を介して偏光ビームスプリッタ２５４の面２５４Ｂへ入射させる。偏光ビームスプリッタ２５４は、反射透過面２５４Ｓにおいて、ｐ偏光でなる青色再生光ビームＬｂ３を反射して面２５４Ｃから出射させ、集光レンズ６１へ入射させる。
【０２８５】
集光レンズ６１は、第１の実施の形態と同様、青色再生光ビームＬｂ３を収束させ、所定径の孔部６２Ｈが設けられたピンホール板６２を介してフォトディテクタ６３へ照射させる。フォトディテクタ６３は、青色再生光ビームＬｂ３の光量を検出し、このとき検出した光量に応じて検出信号ＳＤ１を生成し、これを信号処理部２３（図６）へ供給する。なお、以下では、青色再生光ビームＬｂ３が辿る光路を青光路３と呼ぶ。
【０２８６】
（４−３−２−４）青色光ビームの光路（４）
また光ディスク２００（図１４）は、青色光ビームＬｂ１と同様、青色光ビームＬｂ２が照射された際にも、記録層１０１における焦点Ｆｂ２の位置（すなわち第２目標マーク位置ＰＳ２）に第２記録マークＲＭが記録されていなかった場合、ホログラムとしての性質を呈するため、青色再生光ビームＬｂ４を発生する。このとき青色再生光ビームＬｂ４も、例えば青色光ビームＬｂ２と反対の左円偏光となる。
【０２８７】
この青色再生光ビームＬｂ４は、１／４波長板２３６（図１８）により左円偏光からｓ偏光に変換され、青光路２を逆方向へ辿るように進み、無偏光ビームスプリッタ２３５の面２３５Ａへ入射される。無偏光ビームスプリッタ２３５は、反射透過面２３５Ｓにおいて青色再生光ビームＬｂ４を所定の割合（例えば約５０％）で透過し、面２３５Ｃから出射させて無偏光ビームスプリッタ２３４の面２３４Ａへ入射させる。無偏光ビームスプリッタ２３４は、反射透過面２３４Ｓにおいて青色再生光ビームＬｂ４を所定の割合（例えば約８０％）で反射し、リレーレンズ７６へ入射させる。
【０２８８】
リレーレンズ７６は、青色再生光ビームＬｂ４を固定レンズ７８及び可動レンズ７７の順に透過させ、液晶パネル７５を介して偏光ビームスプリッタ２７４の面２７４Ｂへ入射させる。偏光ビームスプリッタ２７４は、反射透過面２７４Ｓにおいて、ｓ偏光でなる青色再生光ビームＬｂ４を反射して面２７４Ｃから出射させ、集光レンズ８１へ入射させる。
【０２８９】
集光レンズ８１は、第１の実施の形態と同様、青色再生光ビームＬｂ４を収束させ、所定径の孔部８２Ｈが設けられたピンホール板８２を介してフォトディテクタ８３へ照射させる。フォトディテクタ８３は、青色再生光ビームＬｂ４の光量を検出し、このとき検出した光量に応じて検出信号ＳＤ２を生成し、これを信号処理部２３（図６）へ供給する。なお、以下では、青色再生光ビームＬｂ４が辿る光路を青光路４と呼ぶ。
【０２９０】
（４−４）情報の記録及び再生
次に、光ディスク装置２２０が光ディスク２００に情報を記録する場合、及び当該光ディスク２００から情報を再生する場合について、それぞれ説明する。
【０２９１】
（４−４−１）情報の記録
光ディスク装置２２０の制御部２２１は、光ディスク２００に情報を記録する際、青色光ビームＬｂ１１を用いて対物レンズ３６のフォーカス制御及びトラッキング制御を行った状態で、青色光ビームＬｂ１及びＬｂ２を光ディスク２００へ照射し、それぞれの焦点Ｆｂ１及びＦｂ２をいずれも目標トラックの裏側である第１目標マーク位置ＰＳ１及び第２目標マーク位置ＰＳ２にそれぞれ位置させる。これにより光ディスク装置２２０は、光ディスク１００の記録層１０１内における第１目標マーク位置ＰＳ１及び第２目標マーク位置ＰＳ２に、それぞれ第１記録マークＲＭ１及び第２記録マークＲＭ２を形成することができる。
【０２９２】
ここで信号処理部２３は、第１の実施の形態と同様、所定のデータ分割処理により記録情報を第１分割記録情報及び第２分割記録情報に分割し、各分割記録情報を構成するバイナリデータ（すなわち値「０」又は「１」）に対応する記録信号をそれぞれ生成して、レーザダイオード５１及び７１へそれぞれ供給するようになされている。
【０２９３】
これにより光ディスク装置２２０は、第１の実施の形態と同様、光ディスク２００の記録層１０１内において目標トラックに対応する２箇所の位置、すなわち第１目標マーク位置ＰＳ１及び第２目標マーク位置ＰＳ２に対し、記録情報を分割した２系統の分割記録情報として、互いに独立した第１記録マークＲＭ１及び第２記録マークＲＭ２を同時に記録し得るようになされている。
【０２９４】
（４−４−２）情報の再生
光ディスク装置２２０の制御部２２１（図６）は、光ディスク２００から情報を再生する場合、情報の記録時と同様に、青色光ビームＬｂ１１を用いて対物レンズ３６のフォーカス制御及びトラッキング制御（すなわち位置制御）を行わせる。
【０２９５】
ここで情報光学系２５０（図１７及び図１８）は、第１の実施の形態における情報光学系５０と同様、互いの焦点Ｆｂ１及びＦｂ２を互いに異なる第１及び第２の目標マーク位置にそれぞれ合わせるよう、青色光ビームＬｂ１及びＬｂ２を同時に照射することにより、光ディスク２００の記録層１０１内における第１目標マーク位置ＰＳ１及び第２目標マーク位置ＰＳ２から、第１記録マークＲＭ１及び第２記録マークＲＭ２の有無に応じて、それぞれ青色再生光ビームＬｂ３及びＬｂ４を同時に発生させる。
【０２９６】
また情報光学系２５０は、第１の実施の形態と同様、フォトディテクタ６３及び８３により青色再生光ビームＬｂ３及びＬｂ４の光量をそれぞれ検出し、このとき検出した光量に応じて検出信号ＳＤ１及びＳＤ２をそれぞれ生成し、これらを信号処理部２３（図６）へ供給する。
【０２９７】
このように光ピックアップ２２６は、いわゆる参照光としての青色光ビームＬｂ１及びＬｂ２を、光ディスク１００の記録層１０１内における第１目標マーク位置ＰＳ１及び第２目標マーク位置ＰＳ２にそれぞれ合焦させることにより、第１記録マークＲＭ１又は第２記録マークＲＭ２が記録されていない場合に青色再生光ビームＬｂ３及びＬｂ４をそれぞれ発生させ、青光路３及び青光路４を介してフォトディテクタ６３及び８３によりそれぞれの光量を検出し、検出信号ＳＤ１及びＳＤ２を生成し得るようになされている。
【０２９８】
これにより光ディスク装置２２０では、第１の実施の形態と同様、光ディスク２００の記録層１０１内の第１目標マーク位置ＰＳ１及び第２目標マーク位置ＰＳ２に第１記録マークＲＭ１又は第２記録マークＲＭ２が記録されているか否かに応じて、それぞれ情報として値「１」又は「０」のいずれが記録されているかを独立して認識することができる。
【０２９９】
また制御部２２１は、光ディスク２００に分割記録が行われていた場合、第１の実施の形態と同様、所定の情報統合処理によって２種類の再生情報を一つの再生情報に統合した上で外部機器（図示せず）へ送出するようになされている。この結果、光ディスク装置２２０は、第１の実施の形態と同様、青色再生光ビームＬｂ３及びＬｂ４によりそれぞれ通常の再生速度で再生するだけで、見かけ上、２倍の再生速度を得ることができる。
【０３００】
（４−５）動作及び効果
以上の構成において、第３の実施の形態における光ディスク装置２２０の制御部２２１（図６）は、光ディスク２００に対して情報を記録する際、及び当該光ディスク２００から情報を再生する際のいずれにおいても、光ピックアップ２２６の位置制御光学系２３０（図１６）により青色光ビームＬｂ１１の焦点Ｆｂ１１を光ディスク２００の反射透過膜２０４（図１４）における目標トラックに合焦させるよう、対物レンズ３６のフォーカス制御及びトラッキング制御を行う。
【０３０１】
さらに制御部２２１は、光ディスク２００に対して情報を記録する際、第１の実施の形態と同様に、リレーレンズ５８及び７６の可動レンズ５９及び７７の位置をアクチュエータ５９Ａ及び７７Ａを介して相補的に制御し、２本の青色光ビームＬｂ１及びＬｂ２の焦点Ｆｂ１及びＦｂ２を互いに異なる第１目標マーク位置ＰＳ１及び第２目標マーク位置ＰＳ２にそれぞれ合わせることにより（図１４）、光ディスク２００の記録層１０１内に第１記録マークＲＭ１及び第２記録マークＲＭ２を互いに独立して形成する。
【０３０２】
一方、制御部２２１は、光ディスク２００から情報を再生する際も、第１の実施の形態と同様に、リレーレンズ５８及び７６の可動レンズ５９及び７７の位置を互いに独立して制御し、２本の青色光ビームＬｂ１及びＬｂ２の焦点Ｆｂ１及びＦｂ２を互いに異なる目標マーク位置にそれぞれ合わせることにより（図１４）、第１記録マークＲＭ１及び第２の記録マークＲＭ２が記録されていなければ、それぞれ青色再生光ビームＬｂ３及びＬｂ４を発生させ、それぞれフォトディテクタ６３及び８３により検出する。
【０３０３】
従って光ディスク装置２２０の制御部２２１は、第１の実施の形態と同様、情報の記録時および再生時の双方において、光ディスク２００の目標トラックに対応し深さが互いに異なる２箇所の目標マーク位置に対して、互いに独立した２つの記録マークを同時に記録できると共に、当該２箇所の目標マーク位置から互いに独立した２系統の再生信号を得ることができる。
【０３０４】
このとき制御部２２１は、第１の実施の形態と同様、情報の記録時に記録情報を第１分割記録情報及び第２分割記録情報に分割してそれぞれ第１目標マーク位置ＰＳ１及び第２目標マーク位置ＰＳ２に記録し、また情報の再生時に第１目標マーク位置ＰＳ１及び第２目標マーク位置ＰＳ２からそれぞれ得られた検出信号ＳＤ１及びＳＤ２を統合し、２倍の再生速度でなる一つの再生信号を生成することにより、見かけ上、２倍の記録速度及び２倍の再生速度を得ることができる。
【０３０５】
特に光ディスク装置２２０の光ピックアップ２２６（図１５）は、第１の実施の形態における光ピックアップ２６（図７）と比較して、赤色のレーザダイオード３１等を省略することができるので、光ピックアップ２２６の構成を簡略化することができ、軽量化による光ピックアップ２２６のトラッキング方向移動時における応答性の向上や部品削減による低コスト化等を図ることができる。
【０３０６】
以上の構成によれば、第３の実施の形態における光ディスク装置２２０の制御部２２１は、光ピックアップ２２６の位置制御光学系２３０により、青色光ビームＬｂ１１の焦点Ｆｂ１１を光ディスク２００の反射透過膜２０４における目標トラックに合焦させるよう対物レンズ３６のフォーカス制御及びトラッキング制御を行い、光ディスク２００に対して情報を記録する際、記録情報を分割し、各分割記録情報に基づいた青色光ビームＬｂ１及びＬｂ２の焦点Ｆｂ１及びＦｂ２を互いに異なる第１目標マーク位置ＰＳ１及び第２目標マーク位置ＰＳ２にそれぞれ合わせて第１記録マークＲＭ１及び第２記録マークＲＭ２を互いに独立して形成し、光ディスク２００から情報を再生する際、２本の青色光ビームＬｂ１及びＬｂ２の焦点Ｆｂ１及びＦｂ２を互いに異なる第１目標マーク位置ＰＳ１及び第２目標マーク位置ＰＳ２にそれぞれ合わせ、第１記録マークＲＭ１及び第２記録マークＲＭ２の有無に応じて発生する青色再生光ビームＬｂ３及びＬｂ４を元に得られる再生信号を統合することにより、記録速度及び再生速度をいずれも高速化することができる。
【０３０７】
（５）第４の実施の形態
（５−１）光ディスクの構成
第４の実施の形態においては、第３の実施の形態と同様、光ディスク２００（図４及び図１４）に対して情報を記録し、また記録された情報を再生するようになされているため、その説明は省略する。
【０３０８】
（５−２）光ディスク装置の構成
次に、第４の実施の形態における光ディスク装置３２０について説明する。光ディスク装置３２０は、図６に示した光ディスク装置２０と対応した構成を有しており、制御部２１に対応する制御部３２１、光ピックアップ２６に対応する光ピックアップ３２６を有している点が異なっているものの、他は同様に構成されている。
【０３０９】
制御部３２１は、第３の実施の形態における制御部２２１と同様、図示しないＣＰＵを中心に構成されており、図示しないＲＯＭから基本プログラムや情報記録プログラム等の各種プログラムを読み出し、これらを図示しないＲＡＭに展開することにより、情報記録処理や情報再生処理等の各種処理を実行するようになされている。
【０３１０】
この結果光ディスク装置３２０は、第１の実施の形態における光ディスク装置２０と同様、制御部３２１によって光ピックアップ３２６を制御することにより、光ディスク２００の記録層１０１における目標トラックに情報を記録し、また当該目標トラックから情報を再生するようになされている。
【０３１１】
（５−３）光ピックアップの構成
次に、光ピックアップ３２６の構成を、図１５との対応部分に同一符号を付した図１９に模式的に示す。この光ピックアップ３２６は、光ピックアップ２２６と同様、多数の光学部品が設けられており、大きく分けて位置制御光学系３３０（図２０）及び情報光学系３５０（図２１及び図２２）により構成されている。
【０３１２】
（５−３−１）位置制御光学系の構成
図１９と対応する図２０において、第４の実施の形態における位置制御光学系３３０は、第３の実施の形態における光ピックアップ２２６の位置制御光学系２３０と比較して、偏光ビームスプリッタ２３１及び２３２に代えて無偏光ビームスプリッタ３３１が設けられている点が異なっているものの、他は同様に構成されている。
【０３１３】
すなわちレーザダイオード７１は、第３の実施の形態と同様に、制御部３２１（図６）の制御に基づいて発散光でなる青色光ビームＬｂ０を射出し、コリメータレンズ７２へ入射させる。コリメータレンズ７２は、青色光ビームＬｂ０を発散光から平行光に変換し、１／２波長板５３へ入射させる。
【０３１４】
青色光ビームＬｂ０は、１／２波長板５３によって偏光方向が所定角度回転されることにより、例えばｐ偏光成分が約５０％、ｓ偏光成分が約５０％となされ、無偏光ビームスプリッタ３３１の面３３１Ｄに入射される。
【０３１５】
無偏光ビームスプリッタ３３１は、反射透過面３３１Ｓにおいて青色光ビームＬｂ０の一部（例えば約１０％）を透過して青色光ビームＬｂ１１とし、これを面３３１Ｂから出射してミラー２３３により反射させた上で、無偏光ビームスプリッタ２３４の面２３４Ｃへ入射させる。
【０３１６】
その後位置制御光学系３３０は、第３の実施の形態における位置制御光学系２３０の場合と同様に、青色反射光ビームＬｂ１１を光ディスク２００の面２００Ａへ向けて照射する。このとき青色光ビームＬｂ１１は、図１４に示したように、基板１０２を透過し反射透過膜２０４において所定の割合（例えば約１０％）が反射され、青色光ビームＬｂ１１と反対方向へ向かう青色光ビームＬｂ１２となる。
【０３１７】
青色光ビームＬｂ１２は、対物レンズ３６により平行光に変換され、１／４波長板２３６へ入射される。１／４波長板２３６は、青色光ビームＬｂ１２を円偏光から直線偏光に変換し、無偏光ビームスプリッタ２３５の面２３５Ａへ入射させる。
【０３１８】
その後青色光ビームＬｂ１２は、無偏光ビームスプリッタ３５及び無偏光ビームスプリッタ２３４を順次透過し、ミラー２３３により反射された後、無偏光ビームスプリッタ３３１の面３３１Ｂへ入射される。
【０３１９】
無偏光ビームスプリッタ３３１は、反射透過面３３１Ｓにおいて青色光ビームＬｂ１２を所定の割合（例えば８０％）で透過して面３３１Ｃから出射させ、集光レンズ２３７へ入射させる。集光レンズ２３７は、青色光ビームＬｂ１２を収束させ、シリンドリカルレンズ２３８により非点収差を持たせた上で当該青色光ビームＬｂ１２をフォトディテクタ２３９へ照射する。
【０３２０】
フォトディテクタ２３９は、第３の実施の形態と同様に４種類の検出信号ＳＤＡｃ、ＳＤＢｃ、ＳＤＣｃ及びＳＤＤｃをそれぞれ生成し、これらを信号処理部２３（図６）へ送出する。これに応じて信号処理部２３は、第３の実施の形態と同様のフォーカスエラー信号ＳＦＥｃ及びトラッキングエラー信号ＳＴＥｃを生成する。駆動制御部２２は、これらを基に当該青色光ビームＬｂ１１を当該反射透過膜２０４の目標トラックに合焦させるよう、対物レンズ３６のフォーカス制御及びトラッキング制御を行うようになされている。
【０３２１】
（５−３−２）情報光学系の構成
一方、第４の実施の形態における情報光学系３５０は、第３の実施の形態における情報光学系２５０（図１７及び図１８）と比較して、レーザダイオード５１及びコリメータレンズ５２等が省略され、レーザダイオード７１から照射される１本の青色光ビームＬｂ０を分配して２本の青色光ビームＬｂ１及びＬｂ２とする点が大きく異なるものの、他は同様に構成されている。
【０３２２】
すなわち情報光学系３５０において、図１９と対応する図２１に示すように、無偏光ビームスプリッタ３３１は、反射透過面３３１Ｓにより、レーザダイオード７１から出射されｐ偏光及びｓ偏光の比率が約５０％ずつに調整された青色光ビームＬｂ０を所定の割合（例えば約８０％）で反射し、面３３１Ａから出射させ偏光ビームスプリッタ３３２の面３３２Ｃへ入射させる。
【０３２３】
偏光ビームスプリッタ３３２は、反射透過面３３２Ｓにより青色光ビームＬｂ０のうちｓ偏光成分を透過して青色光ビームＬｂ１とし、これを面３３２Ａから出射しミラー９２へ照射して反射させた上で、偏光ビームスプリッタ２５４の面２５４Ｄへ入射させる。
【０３２４】
その後情報光学系３５０は、第３の実施の形態における情報光学系２５０と同様の青光路１を経由することにより、青色光ビームＬｂ１の焦点Ｆｂ１を光ディスク２００の記録層１０１内における第１目標マーク位置ＰＳ１に合焦させ、第１記録マークＲＭ１を形成し得るようになされている。
【０３２５】
また偏光ビームスプリッタ３３２は、図１９と対応する図２２に示すように、反射透過面３３２Ｓにおいて青色光ビームＬｂ０のうちｐ偏光成分を透過して青色光ビームＬｂ２とし、これを面３３２Ｂから偏光ビームスプリッタ２７４の面２７４Ｄへ入射させる。
【０３２６】
その後情報光学系３５０は、第３の実施の形態における情報光学系２５０と同様の青光路２を経由することにより、青色光ビームＬｂ２の焦点Ｆｂ２を光ディスク２００の記録層１０１内における第２目標マーク位置ＰＳ２に合焦させ、第２記録マークＲＭ２を形成し得るようになされている。
【０３２７】
さらに情報光学系３５０は、青色再生光ビームＬｂ３及びＬｂ４についても、第３の実施の形態と同様に、青光路３及び青光路４を経由させ、フォトディテクタ６３及び８３においてそれぞれ検出することにより、検出信号ＳＤ１及びＳＤ２を生成し得るようになされている。
【０３２８】
（５−４）情報の記録及び再生
次に、光ディスク装置３２０が光ディスク２００に情報を記録する場合、及び当該光ディスク２００から情報を再生する場合について、それぞれ説明する。
【０３２９】
（５−４−１）情報の記録
光ディスク装置３２０の制御部３２１（図６）は、光ディスク２００に情報を記録する場合、上述したように、外部機器（図示せず）等から情報記録命令、記録情報及び記録アドレス情報を受け付けると、駆動命令及び記録アドレス情報を駆動制御部２２へ供給すると共に、記録情報を信号処理部２３へ供給する。
【０３３０】
このとき駆動制御部２２は、光ピックアップ３２６の位置制御光学系３３０により青色光ビームＬｂ１１を記録アドレス情報に対応した目標トラックに追従させるよう、対物レンズ３６のフォーカス制御及びトラッキング制御（すなわち位置制御）を行う。
【０３３１】
また制御部３２１は、リレーレンズ５８及び７６における可動レンズ５９及び７７の位置を調整することにより、青色光ビームＬｂ１の焦点Ｆｂ１及び青色光ビームＬｂ２の焦点Ｆｂ２を、いずれも目標トラックの裏側である第１目標マーク位置ＰＳ１及び第２目標マーク位置ＰＳ２にそれぞれ位置させることができる。
【０３３２】
ここで制御部３２１は、第２の実施の形態と同様、互いに対応するマスタレイヤＹＳ及びミラーレイヤＹＲに同一の情報を記録するミラーリング記録（図１３）を行い得るようになされている。
【０３３３】
この場合、光ピックアップ３２６は、第２の実施の形態における光ピックアップ１２６と同様、光ディスク２００の記録層１０１内における第１目標マーク位置ＰＳ１及び第２目標マーク位置ＰＳ２に同一の情報を表す第１記録マークＲＭ１及び第２記録マークＲＭ２を形成することができる。
【０３３４】
（５−４−２）情報の再生
一方、光ディスク装置３２０の制御部３２１（図６）は、光ディスク２００から情報を再生する場合、第３の実施の形態における光ディスク装置２２０の場合と同様、青色光ビームＬｂ１１を記録アドレス情報に対応した目標トラックに追従させるよう、対物レンズ３６のフォーカス制御及びトラッキング制御（すなわち位置制御）を行わせ、青色光ビームＬｂ１の焦点Ｆｂ１及び青色光ビームＬｂ２の焦点Ｆｂ２（図１４）を、互いに異なる第１目標マーク位置ＰＳ１及び第２目標マーク位置ＰＳ２にそれぞれ合わせて照射する。
【０３３５】
これにより制御部３２１は、光ディスク１００の記録層１０１内における第１目標マーク位置ＰＳ１及び第２目標マーク位置ＰＳ２から、第１記録マークＲＭ１及び第２記録マークＲＭ２の有無に応じて、それぞれ青色再生光ビームＬｂ３及びＬｂ４を同時に発生させることができる。
【０３３６】
制御部３２１は、光ディスク２００にミラーリング記録が行われていた場合、第２の実施の形態と同様、青色光ビームＬｂ１及びＬｂ２の焦点Ｆｂ１及びＦｂ２を互いに対応するマスタレイヤＹＳ及びミラーレイヤＹＲにそれぞれ合わせて検出信号ＳＤ１及びＳＤ２を生成し、所定の比較訂正処理により２種類の再生情報を比較し、必要に応じて所定のエラー訂正処理等を施すことにより最終的な再生情報を生成し、これを外部機器（図示せず）へ送出するようになされている。この場合、光ディスク装置３２０における再生速度は、通常通りの再生速度となる。
【０３３７】
一方、制御部３２１は、光ディスク２００に情報の分割記録が行われていた場合、青色光ビームＬｂ１及びＬｂ２の焦点Ｆｂ１及びＦｂ２を互いに対応するマーク記録層にそれぞれ合わせて検出信号ＳＤ１及びＳＤ２を生成し、第１の実施の形態と同様、所定の情報統合処理によって２種類の再生情報を一つの再生情報に統合した上で外部機器（図示せず）へ送出するようになされている。この結果、光ディスク装置３２０は、第１の実施の形態における光ディスク装置２０と同様、青色再生光ビームＬｂ３及びＬｂ４によりそれぞれ通常の再生速度で再生するだけで、見かけ上、２倍の再生速度を得ることができる。
【０３３８】
このように光ディスク装置３２０の制御部３２１は、光ピックアップ３２６により、青色光ビームＬｂ１及びＬｂ２の焦点Ｆｂ１及びＦｂ２をそれぞれ第１目標マーク位置ＰＳ１及び第２目標マーク位置ＰＳ２に合わせて照射することにより、第１記録マークＲＭ１及び第２記録マークＲＭ２の有無に応じて発生する青色再生光ビームＬｂ３及びＬｂ４を検出して検出信号ＳＤ１及びＳＤ２を生成し、これらを元に最終的な再生情報を出力し得るようになされている。
【０３３９】
（５−５）動作及び効果
以上の構成において、第４の実施の形態における光ディスク装置３２０の制御部３２１（図６）は、光ディスク２００に対して情報を記録する際、及び当該光ディスク２００から情報を再生する際のいずれにおいても、第３の実施の形態と同様、光ピックアップ３２６の位置制御光学系３３０により青色光ビームＬｂ１１の焦点Ｆｂ１１を光ディスク２００の反射透過膜２０４（図１４）における目標トラックに合焦させるよう、対物レンズ３６のフォーカス制御及びトラッキング制御を行う。
【０３４０】
さらに制御部３２１は、光ディスク１００に対して情報を記録する際、第２の実施の形態と同様、青色光ビームＬｂ０を分配してなる青色光ビームＬｂ１及びＬｂ２を用い、リレーレンズ５８及び７６の可動レンズ５９および７７の位置を制御して当該青色光ビームＬｂ１及びＬｂ２の焦点Ｆｂ１及びＦｂ２を互いに異なるマスタレイヤＹＳ及びミラーレイヤＹＲにそれぞれ合わせることにより（図５）、光ディスク２００の記録層１０１内に互いに同一の情報を表す第１記録マークＲＭ１及び第２記録マークＲＭ２を形成する。
【０３４１】
一方、制御部３２１は、ミラーリング記録された光ディスク２００から情報を再生する際も、第２の実施の形態と同様、リレーレンズ５８及び７６の可動レンズ５９及び７７の位置をそれぞれ制御し、２本の青色光ビームＬｂ１及びＬｂ２の焦点Ｆｂ１及びＦｂ２を互いに対応するマスタレイヤＹＳ及びミラーレイヤＹＲにそれぞれ合わせることにより、第１記録マークＲＭ１及び第２の記録マークＲＭ２の有無に応じて発生する青色再生光ビームＬｂ３及びＬｂ４をそれぞれ検出して検出信号ＳＤ１及びＳＤ２を生成し、所定の比較訂正処理により最終的な再生情報を生成する。
【０３４２】
従って光ディスク装置３２０の制御部３２１は、光ディスク２００から情報を再生する際、第１〜第３の実施の形態と同様、光ディスク２００の目標トラックに対応し深さが互いに異なる２箇所の目標マーク位置から、互いに独立した２系統の再生信号を得ることができる。
【０３４３】
一方光ディスク装置３２０の制御部３２１は、光ディスク２００に対して情報を記録する際、第２の実施の形態と同様、光ディスク２００の目標トラックに対応し深さが互いに異なるマスタレイヤＹＳ及びミラーレイヤＹＲにおける２箇所の目標マーク位置に対して、同一の情報を表す記録マークＲＭを記録することができる。
【０３４４】
このため制御部３２１は、光ディスク２００の記録層１０１内おいて互いに対応するマスタレイヤＹＳ及びミラーレイヤＹＲを用いて情報の冗長性を高めたミラーリング記録を行うことができ、再生情報の品質を高めることができる。
【０３４５】
特に光ディスク装置３２０の光ピックアップ３２６（図１９）は、第２の実施の形態における光ピックアップ１２６（図１０）と比較して、赤色のレーザダイオード３１等を省略することができるので、第３の実施の形態と同様、光ピックアップ３２６の構成を簡略化することができ、軽量化による光ピックアップ３２６のトラッキング方向移動時における応答性の向上や部品削減による低コスト化等を図ることができる。
【０３４６】
以上の構成によれば、第４の実施の形態における光ディスク装置３２０の制御部３２１は、青色光ビームＬｂ１１の焦点Ｆｂ１１を光ディスク２００の反射透過膜２０４における目標トラックに合焦させるよう、対物レンズ３６のフォーカス制御及びトラッキング制御を行い、光ディスク２００に対して情報を記録する際、目標トラックからの深さが互いに異なるマスタレイヤＹＳ及びミラーレイヤＹＲにおける２箇所の目標マーク位置に対して、互いに同一の情報を表す第１記録マークＲＭ１及び第２記録マークＲＭ２を形成するミラーリング記録を行い、情報を再生する際、青色光ビームＬｂ１及びＬｂ２の焦点Ｆｂ１及びＦｂ２を互いに対応するマスタレイヤＹＳ及びミラーレイヤＹＲにそれぞれ合わせることにより、第１記録マークＲＭ１及び第２の記録マークＲＭ２の有無に応じて発生する青色再生光ビームＬｂ３及びＬｂ４をそれぞれ検出して検出信号ＳＤ１及びＳＤ２を生成し、所定の比較訂正処理により最終的な再生情報を生成することにより、再生情報の品質を高めることができ、また記録情報が分割記録されていた場合には、再生速度を高速化することもできる。
【０３４７】
（６）他の実施の形態
なお上述した第１〜第４の実施の形態においては、光ディスク１００及び２００に対してフォーマットとして予めホログラムを全面に形成しておき、記録マークＲＭを記録して当該ホログラムを破壊することにより情報の記録を行うようにした場合について述べたが、本発明はこれに限らず、例えば図２３（Ａ）に示すように、一様な屈折率を持つフォトポリマでなる記録層に対して光ビームを集光することによりその屈折率又は反射率が変化して記録マークＲＭを形成し、図２３（Ｂ）に示すように、光ビームの屈折率又は反射率の変化を基に記録マークＲＭの有無を検出し得る光ディスク等、１本の光ビームにより記録マークＲＭの記録及び再生を行い得るとともに記録層内に複数のマーク記録層を重ねて形成し得る種々の光ディスクを用いるようにしても良い。
【０３４８】
この場合、光ディスクに照射する光ビームは、光ディスクの種類や記録方式等に合わせて適宜光量や照射時間等が調整されていれば良い。
【０３４９】
また上述した第１〜第４の実施の形態においては、２系統の青光路を介して２本の青色再生光ビームＬｂ３及びＬｂ４を発生させ、このとき得られた２系統の再生信号を統合して２倍の再生速度でなる一つの再生信号を生成するようにした場合について述べたが、本発明はこれに限らず、例えば３系統や４系統以上の青光路を設けるようにし、３本又は４本以上の青色再生光ビームを発生させて得られる３系統又は４系統以上の再生信号を統合して３倍や４倍以上の再生速度を得られるようにしても良い。
【０３５０】
この場合、各青光路にリレーレンズを設けて光ディスク１００又は２００へ照射する青色光ビームＬｂの焦点Ｆｂがそれぞれ異なる位置（深さ）となるように調整し得るようにし、またフォトディテクタの直前に設けたピンホール板により所望の青色再生光ビームのみの光量を検出し得るようにすれば良い。
【０３５１】
さらに上述した第２及び第４の実施の形態においては、複数のマーク記録層に対して同一の情報を同時に記録するミラーリング記録を行うようにした場合について述べたが、本発明はこれに限らず、例えば上述した第１及び第３の実施の形態において青光路を３系統以上設け、各光路の青色光ビームごとに異なる情報を記録し得るようにした場合に、いわゆるＲＡＩＤ（Redundant Array of Inexpensive Discs）２〜５等における各ハードディスクドライブを各マーク記録層に対応させ、同時に記録する情報の一部をパリティとして記録するようにしても良い。
【０３５２】
さらに上述した第２及び第４の実施の形態においては、ミラーリング記録を行った際、再生時にも青色光ビームＬｂ１及びＬｂ２の２系統の光ビームにより、第１目標マーク位置ＰＳ１及び第２目標マーク位置ＰＳ２から並行して青色再生光ビームＬｂ３及びＬｂ４を発生させリアルタイムで比較訂正処理を行って通常の再生速度で再生信号を生成するようにした場合について述べたが、本発明はこれに限らず、例えば再生速度よりも優先して情報の再生精度を高めたい場合に、１系統の青色光ビームＬｂ１のみを照射し得る構成の光ディスク装置において、マスタレイヤＹＳ及びミラーレイヤＹＲから情報を順次読み出し比較訂正処理を行うようにしても良い。
【０３５３】
さらに上述した第１及び第２の実施の形態においては、対物レンズ３６の位置制御を行うための光ビーム（これを位置制御光ビームと呼ぶ）を波長約６６０［ｎｍ］の赤色光ビームとし、記録マークＲＭを形成するための光ビーム（これを記録光ビームと呼ぶ）を波長約４０５［ｎｍ］の青色光ビームとするようにした場合について述べたが、本発明はこれに限らず、位置制御光ビーム及び記録光ビームをそれぞれ任意の波長としても良い。
【０３５４】
この場合、反射透過膜１０４としては、位置制御光ビームをその波長に応じて反射し、記録光ビームをその波長に応じて透過する性質を有していればよい。また記録層１０１は、記録光ビームの波長に反応する材料であれば良い。
【０３５５】
さらに上述した第３及び第４の実施の形態においては、位置制御光ビーム及び記録光ビームをいずれも波長約４０５［ｎｍ］の青色光ビームとするようにした場合について述べたが、本発明はこれに限らず、位置制御光ビーム及び記録光ビームを任意の波長としても良い。
【０３５６】
さらに上述した第１〜第４の実施の形態においては、リレーレンズ５８及び７６により、光ディスク１００又は２００内における目標マーク位置の深さ（すなわち反射透過膜１０４又は２０４からの距離）を調整するようにした場合について述べたが、本発明はこれに限らず、例えば単一の集光レンズを移動させることにより当該目標マーク位置の深さを変更し、或いは対物レンズ３６のフォーカス制御を行うことにより当該目標マーク位置の深さを変更するなど、他の手法により当該目標マーク位置の深さを変更するようにしても良い。
【０３５７】
さらに上述した第１及び第２の実施の形態においては、赤色光ビームＬｒ１と青色光ビームＬｂ１との光軸を一致させるようにした場合について述べたが、本発明はこれに限らず、例えば赤色光ビームＬｒ１と青色光ビームＬｂ１との光軸を所定角度傾け、光ディスク１００の１００Ａから見て目標トラックと目標マーク位置とを意図的に一致させない（すなわちオフセットを設ける）ようにしても良い。
【０３５８】
さらに上述した第１〜第４の実施の形態においては、位置制御光学系３０、９０、２３０及び３３０において非点収差法によりフォーカスエラー信号を生成するようにした場合について述べたが、本発明はこれに限らず、例えばナイフエッジ法やフーコー法等の他の手法によってフォーカスエラー信号を生成するようにしても良い。
【０３５９】
また位置制御光学系３０、９０、２３０及び３３０におけるトラッキングエラー信号の生成についても、プッシュプル法に限らず、３ビーム法や差動プッシュプル法等の他の手法により当該トラッキングエラー信号を生成するようにしても良い。
【０３６０】
これらの場合、各エラー信号の生成手法に応じて、シリンドリカルレンズ３８及び２３８に代えて回折格子等の光学素子が設けられれば良く、またフォトディテクタ３９及び２３９については、各エラー信号の生成手法に対応した分割パターンで検出領域が分割されていれば良く、さらに信号処理部２３は、各エラー信号の生成手法に対応した演算処理を行うことにより各エラー信号を生成すれば良い。
【０３６１】
さらに上述した第１〜第４の実施の形態においては、液晶パネル５７及び７５により青色光ビームＬｂ１及びＬｂ２並びに青色再生光ビームＬｂ３及びＬｂ４の球面収差や光ディスク１００の傾きに起因するコマ収差等を補正するようにした場合について述べたが、本発明はこれに限らず、リレーレンズレンズ等の他の種々の光学素子により球面収差や光ディスク１００の傾きに起因するコマ収差等を補正するようにしても良い。
【０３６２】
さらに上述した実施の形態においては、光ディスク１００及び２００の直径を約１２０［ｍｍ］、記録層１０１の厚さｔ１を約０．３［ｍｍ］、基板１０２及び１０３の厚さｔ２及びｔ３を約０．６［ｍｍ］とするようにした場合について述べたが、本発明はこれに限らず、それぞれ他の値であっても良い。この場合、記録層１０１並びに基板１０２及び１０３の厚さと各材料の屈折率等を考慮した上で、青色光ビームＬｂ１及びＬｂ２の焦点が目標マーク位置に合わされるよう、各光学部品の光学特性や配置等が設定されていれば良い。
【０３６３】
さらに上述した実施の形態においては、第１の焦点位置調整手段としてのリレーレンズ５８及び制御部２１と、第２の焦点位置調整手段としてのリレーレンズ７６及び制御部２１と、焦点制御手段及び記録制御手段としての制御部２１とによって光ディスク装置としての光ディスク装置２０とを構成する場合について述べたが、本発明はこれに限らず、その他種々の回路構成でなる第１の焦点位置調整手段と、第２の焦点位置調整手段と、焦点制御手段記録制御手段とによって光ディスク装置を構成するようにしても良い。
【０３６４】
さらに上述した実施の形態においては、第１の焦点位置調整手段としてのリレーレンズ５８及び制御部２１と、第２の焦点位置調整手段としてのリレーレンズ７６及び制御部２１と、焦点制御手段としての制御部２１と、第１及び第２の検出手段としてのフォトディテクタ６３及び８３と、再生信号生成手段としての信号処理部２３及び制御部２１とによって光ディスク装置としての光ディスク装置２０とを構成する場合について述べたが、本発明はこれに限らず、その他種々の回路構成でなる第１の焦点位置調整手段と、第２の焦点位置調整手段と、焦点制御手段と、第１及び第２の検出手段と、再生信号生成手段とによって光ディスク装置を構成するようにしても良い。
【産業上の利用可能性】
【０３６５】
本発明は、映像データや音楽データ等の種々のデータを光ディスクに記録及び再生する光ディスク装置でも利用できる。
【図面の簡単な説明】
【０３６６】
【図１】従来の定在波記録型光ディスク装置の構成を示す略線図である。
【図２】ホログラムの形成の様子を示す略線図である。
【図３】ホログラムの記録再生原理の説明に供する略線図である。
【図４】本発明の一実施形態による光ディスクの構成を示す略線図である。
【図５】第１及び第２の実施の形態による光ディスクの内部構成を示す略線図である。
【図６】本発明の一実施形態による光ディスク装置の構成を示す略線図である。
【図７】第１の実施の形態による光ピックアップの構成を示す略線図である。
【図８】フォトディテクタにおける検出領域の構成を示す略線図である。
【図９】ピンホールによる光ビームの選別の説明に供する略線図である。
【図１０】第２の実施の形態による光ピックアップの構成を示す略線図である。
【図１１】第２の実施の形態による青色光ビームの光路（１）を示す略線図である。
【図１２】第２の実施の形態による青色光ビームの光路（２）を示す略線図である。
【図１３】ミラーリング記録におけるマーク記録層の構成
【図１４】第３及び第４の実施の形態による光ディスクの内部構成を示す略線図である。
【図１５】第３の実施の形態による光ピックアップの構成を示す略線図である。
【図１６】第３の実施の形態による青色光ビームの光路（１）を示す略線図である。
【図１７】第３の実施の形態による青色光ビームの光路（２）を示す略線図である。
【図１８】第３の実施の形態による青色光ビームの光路（３）を示す略線図である。
【図１９】第４の実施の形態による光ピックアップの構成を示す略線図である。
【図２０】第４の実施の形態による青色光ビームの光路（１）を示す略線図である。
【図２１】第４の実施の形態による青色光ビームの光路（２）を示す略線図である。
【図２２】第４の実施の形態による青色光ビームの光路（３）を示す略線図である。
【図２３】他の実施の形態による情報の記録再生原理の説明に供する略線図である。
【符号の説明】
【０３６７】
２０、１２０、２２０、３２０……光ディスク装置、２１、１２１、２２１、３２１……制御部、２２……駆動制御部、２３……信号処理部、２６、１２６、２２６、３２６……光ピックアップ、３０、２３０、３３０……位置制御光学系、３１、５１、７１……レーザダイオード、３３、５４、７４、２３４、２３５、３３１……無偏光ビームスプリッタ、３４……ダイクロックプリズム、３５、９１、２３１、２３２、２５４、２７４……偏光ビームスプリッタ、３６……対物レンズ、３６Ａ……アクチュエータ、３９、６３、８３、２３９……フォトディテクタ、５０、９０、２５０、３５０……情報光学系、５７、７５……液晶パネル、５８、７６……リレーレンズ、５９、７７……可動レンズ、６２、８２……ピンホール板、１００、２００……光ディスク、１０１……記録層、１０２、１０３……基板、１０４、２０４……反射透過膜、Ｌｒ１……赤色光ビーム、Ｌｒ２……赤色反射光ビーム、Ｌｂ０、Ｌｂ１、Ｌｂ２、Ｌｂ１１、Ｌｂ１２……青色光ビーム、Ｌｂ３、Ｌｂ４……青色再生光ビーム、Ｆｒ、Ｆｂ１、Ｆｂ２、Ｆｂ１１……焦点、ＲＭ、ＲＭ１、ＲＭ２……記録マーク、ＰＳ１、ＰＳ２……目標マーク位置。
【図１】
2008251134.tif 000005
【図２】
2008251134.tif 000006
【図３】
2008251134.tif 000007
【図４】
2008251134.tif 000008
【図５】
2008251134.tif 000009
【図６】
2008251134.tif 000010
【図７】
2008251134.tif 000011
【図８】
2008251134.tif 000012
【図９】
2008251134.tif 000013
【図１０】
2008251134.tif 000014
【図１１】
2008251134.tif 000015
【図１２】
2008251134.tif 000016
【図１３】
2008251134.tif 000017
【図１４】
2008251134.tif 000018
【図１５】
2008251134.tif 000019
【図１６】
2008251134.tif 000020
【図１７】
2008251134.tif 000021
【図１８】
2008251134.tif 000022
【図１９】
2008251134.tif 000023
【図２０】
2008251134.tif 000024
【図２１】
2008251134.tif 000025
【図２２】
2008251134.tif 000026
【図２３】
2008251134.tif 000027